(57)【要約】  マルチキャリアワイヤレス通信システムにおけるダウンリンクデータ送信に関連する肯定応答／否定応答（ＡＣＫ／ＮＡＣＫ）フィードバックの送信および受信を容易にする、方法、システム、デバイス、およびコンピュータプログラム製品について説明する。肯定のスケジューリング要求が存在するときに複数のコンポーネントキャリアについてのＡＣＫ／ＮＡＣＫフィードバックの送信を可能にするために、スケジューリング要求リソースが利用されることができ、異なるシステム構成における制御チャネルシグナリングの効率を改善するために、ここに記載の技法を用いることができる。
2013541924.tif 000002
【特許請求の範囲】
【請求項１】
ワイヤレス通信の方法であって、
ユーザ機器において、複数のコンポーネントキャリアについてのダウンリンクデータに関連する肯定応答／否定応答（ＡＣＫ／ＮＡＣＫ）フィードバックを決定することと、
肯定のスケジューリング要求（ＳＲ）が存在すると決定すると、前記ユーザ機器にとって利用可能な１つまたは複数のＳＲリソースを識別することと、
前記ＡＣＫ／ＮＡＣＫフィードバックをバンドルすることと、
前記１つまたは複数の選択されたＳＲリソースを使用して前記複数のコンポーネントキャリアについての前記バンドルされたＡＣＫ／ＮＡＣＫフィードバックを送信することと
を備える、ワイヤレス通信の方法。
【請求項２】
前記ＡＣＫ／ＮＡＣＫフィードバックを前記バンドルすることが、
各コンポーネントキャリアについてのＡＣＫ／ＮＡＣＫフィードバック値を決定することと、
前記コンポーネントキャリアにわたってＡＣＫの数をアグリゲートすることと
を含む、請求項１に記載の方法。
【請求項３】
前記ＡＣＫ／ＮＡＣＫフィードバックを前記バンドルすることが、
各コンポーネントキャリアについてのＡＣＫ／ＮＡＣＫフィードバック値を決定することと、
ＡＣＫインスタンスの総数を決定することと、
第１の数のＡＣＫを、前記１つまたは複数のＳＲリソースに関連する第１のビット値にマッピングし、残りの数のＡＣＫを、前記１つまたは複数のＳＲリソースに関連する第２のビット値にマッピングすることと
を含む、請求項１に記載の方法。
【請求項４】
前記第１の数のＡＣＫが、前記複数のコンポーネントキャリアの第１のサブセット中のＡＣＫに対応し、前記残りの数のＡＣＫが、前記複数のコンポーネントキャリアの残部に対応する、請求項３に記載の方法。
【請求項５】
前記複数のコンポーネントキャリアの前記第１のサブセットが第１のコンポーネントキャリアを含み、前記複数のコンポーネントキャリアの前記残部が第２のコンポーネントキャリアを含む、請求項４に記載の方法。
【請求項６】
前記複数のコンポーネントキャリアが第１および第２のダウンリンクコンポーネントキャリアを含み、前記ＡＣＫ／ＮＡＣＫフィードバックを前記バンドルすることが、
前記第１および第２のコンポーネントキャリアの各々についてのＡＣＫ／ＮＡＣＫフィードバック値を決定することと、
前記第１のコンポーネントキャリアについての前記ＡＣＫ／ＮＡＣＫフィードバックを、前記１つまたは複数のＳＲリソースに関連する第１のビット値にマッピングし、前記第２のコンポーネントキャリアについての前記ＡＣＫ／ＮＡＣＫフィードバックを、前記１つまたは複数のＳＲリソースに関連する第２のビット値にマッピングすることと
を含む、請求項１に記載の方法。
【請求項７】
前記ＡＣＫ／ＮＡＣＫフィードバックを前記バンドルすることが、
各コンポーネントキャリアについてのＡＣＫ／ＮＡＣＫフィードバック値を決定することと、
前記コンポーネントキャリアのうちの１つまたは複数の２つ以上のサブフレームについてのＡＣＫ／ＮＡＣＫフィードバックを空間的にバンドルすることと
を含む、請求項１に記載の方法。
【請求項８】
前記ユーザ機器がＬＴＥユーザ機器であり、前記複数のコンポーネントキャリアが周波数分割複信（ＦＤＤ）キャリアを含み、前記ＡＣＫ／ＮＡＣＫフィードバックをバンドルすることが、
前記複数のコンポーネントキャリア中の第１のＦＤＤコンポーネントキャリアおよび第２のＦＤＤコンポーネントキャリアの各々で受信された１つまたは複数のコードワードについてのＡＣＫ／ＮＡＣＫフィードバックを決定することと、
第１のＡＣＫ／ＮＡＣＫビットを取得するために前記第１のＦＤＤコンポーネントキャリアについての前記ＡＣＫ／ＮＡＣＫフィードバックを空間的にバンドルすることと、
第２のＡＣＫ／ＮＡＣＫビットを取得するために前記第２のＦＤＤコンポーネントキャリアについての前記ＡＣＫ／ＮＡＣＫフィードバックを空間的にバンドルすることと、
前記バンドルされたＡＣＫ／ＮＡＣＫフィードバックを含む前記第１および第２のＡＣＫ／ＮＡＣＫビットを用いてＰＵＣＣＨフォーマット１ｂメッセージを生成することと、
前記識別されたＳＲリソース上で前記ＰＵＣＣＨフォーマット１ｂメッセージを送信することと
を含む、請求項１に記載の方法。
【請求項９】
前記ＡＣＫ／ＮＡＣＫフィードバックをバンドルすることは、
前記第１および第２のコンポーネントキャリアのうちの１つまたは複数についての１つまたは複数の追加の状態を決定することであって、前記１つまたは複数の追加の状態が、前記第１および第２のコンポーネントキャリアのうちの１つまたは複数についての（ＡＣＫ、ＮＡＫ／ＤＴＸ）および（ＮＡＫ／ＤＴＸ、ＡＣＫ）を含む、決定することと、
前記１つまたは複数の追加の状態を用いてＰＵＣＣＨフォーマット１ｂメッセージを生成することと、
前記識別されたＳＲリソース上で前記ＰＵＣＣＨフォーマット１ｂメッセージを送信することと
をさらに含む、請求項８に記載の方法。
【請求項１０】
前記ユーザ機器がＬＴＥユーザ機器であり、前記複数のコンポーネントキャリアが時分割複信（ＴＤＤ）キャリアを含み、前記ＡＣＫ／ＮＡＣＫフィードバックをバンドルすることが、
前記複数のコンポーネントキャリア中の第１のＴＤＤコンポーネントキャリアおよび第２のＴＤＤコンポーネントキャリア上でのデータ送信についてのＡＣＫ／ＮＡＣＫフィードバックを決定することと、
前記ＡＣＫ／ＮＡＣＫ情報に基づいて前記第１および第２のコンポーネントキャリア上での前記データ送信についてのＡＣＫインスタンスの数を決定することと、
ＡＣＫインスタンスの前記数のマッピングに基づいて前記ＡＣＫ／ＮＡＣＫフィードバックについての第１および第２のビット値を決定することと、
前記バンドルされたＡＣＫ／ＮＡＣＫフィードバックを備える前記第１および第２のビットを用いてＰＵＣＣＨフォーマット１ｂメッセージを生成することと、
前記識別されたＳＲリソース上で前記ＰＵＣＣＨフォーマット１ｂメッセージを送信することと
を含む、請求項１に記載の方法。
【請求項１１】
前記ＡＣＫ／ＮＡＣＫ情報に基づいて前記第１および第２のコンポーネントキャリア上での前記データ送信についてのＡＣＫインスタンスの数を決定することが、ＡＣＫ／ＮＡＣＫ情報の空間バンドリングを含む、請求項１０に記載の方法。
【請求項１２】
肯定のスケジューリング要求（ＳＲ）が存在すると決定すると、前記ユーザ機器にとって利用可能な１つまたは複数のＳＲリソースを識別することが、
第１のコンポーネントキャリアについてのＡＣＫ／ＮＡＣＫフィードバックが第１の基準を満たすときには、２つ以上の設定されたＳＲリソースから第１のＳＲリソースを選択することと、
前記第１のコンポーネントキャリアについてのＡＣＫ／ＮＡＣＫフィードバックが第２の基準を満たすときには、２つ以上の設定されたＳＲリソースから第２のＳＲリソースを選択することと
を含む、請求項１に記載の方法。
【請求項１３】
前記１つまたは複数のＳＲリソースが無線リソース制御（ＲＲＣ）設定された、請求項１に記載の方法。
【請求項１４】
少なくとも１つのセカンダリＳＲリソースが前記ユーザ機器と別のユーザ機器との間で共有される、請求項１３に記載の方法。
【請求項１５】
前記１つまたは複数のＳＲリソースの前記選択が、受信された制御情報に従って少なくとも１つのセカンダリＳＲリソースを選択することを含む、請求項１３に記載の方法。
【請求項１６】
前記受信された制御情報が、ＡＣＫ／ＮＡＣＫリソースインジケータ（ＡＲＩ）および時分割多重情報のうちの少なくとも１つを含む、請求項１３に記載の方法。
【請求項１７】
前記制御情報が、セカンダリコンポーネントキャリアに関連する物理ダウンリンク制御チャネル（ＰＤＣＣＨ）上で送信電力制御（ＴＰＣ）フィールドの一部として受信される、請求項１３に記載の方法。
【請求項１８】
前記バンドルする動作が、
ＡＣＫインスタンスの前記総数を決定することと、
第１の数のＡＣＫを、前記１つまたは複数のＳＲリソースに関連する第１のビット値にマッピングし、残りの数のＡＣＫを、前記１つまたは複数のＳＲリソースに関連する第２のビット値にマッピングすることと
を含む、請求項１に記載の方法。
【請求項１９】
前記ＡＣＫ／ＮＡＣＫフィードバックが、アップリンク制御情報フォーマット１ｂを使用して動作するように構成されたロングタームエボリューション（ＬＴＥ）ワイヤレス通信システムの物理アップリンク制御チャネル（ＰＵＣＣＨ）上で送信される、請求項１に記載の方法。
【請求項２０】
ワイヤレス通信装置であって、
ユーザ機器において、複数のコンポーネントキャリアについてのダウンリンクデータに関連する肯定応答／否定応答（ＡＣＫ／ＮＡＣＫ）フィードバックを決定する手段と、
肯定のスケジューリング要求（ＳＲ）が存在すると決定すると、前記ユーザ機器にとって利用可能な１つまたは複数のＳＲリソースを識別する手段と、
前記ＡＣＫ／ＮＡＣＫフィードバックをバンドルする手段と、
前記１つまたは複数の選択されたＳＲリソースを使用して前記複数のコンポーネントキャリアについての前記バンドルされたＡＣＫ／ＮＡＣＫフィードバックを送信する手段と
を備える、ワイヤレス通信装置。
【請求項２１】
前記ＡＣＫ／ＮＡＣＫフィードバックをバンドルする前記手段が、
各コンポーネントキャリアについてのＡＣＫ／ＮＡＣＫフィードバック値を決定する手段と、
前記コンポーネントキャリアにわたってＡＣＫの数をアグリゲートする手段と
を含む、請求項２０に記載の装置。
【請求項２２】
前記ＡＣＫ／ＮＡＣＫフィードバックをバンドルする前記手段が、
各コンポーネントキャリアについてのＡＣＫ／ＮＡＣＫフィードバック値を決定する手段と、
ＡＣＫインスタンスの総数を決定する手段と、
第１の数のＡＣＫを、前記１つまたは複数のＳＲリソースに関連する第１のビット値にマッピングし、残りの数のＡＣＫを、前記１つまたは複数のＳＲリソースに関連する第２のビット値にマッピングする手段と
を含む、請求項２０に記載の装置。
【請求項２３】
前記第１の数のＡＣＫが、前記複数のコンポーネントキャリアの第１のサブセット中のＡＣＫに対応し、前記残りの数のＡＣＫが、前記複数のコンポーネントキャリアの残部に対応する、請求項２２に記載の装置。
【請求項２４】
前記複数のコンポーネントキャリアが第１および第２のダウンリンクコンポーネントキャリアを含み、前記ＡＣＫ／ＮＡＣＫフィードバックをバンドルする前記手段が、
前記第１および第２のコンポーネントキャリアの各々についてのＡＣＫ／ＮＡＣＫフィードバック値を決定する手段と、
前記第１のコンポーネントキャリアについての前記ＡＣＫ／ＮＡＣＫフィードバックを、前記１つまたは複数のＳＲリソースに関連する第１のビット値にマッピングし、前記第２のコンポーネントキャリアについての前記ＡＣＫ／ＮＡＣＫフィードバックを、前記１つまたは複数のＳＲリソースに関連する第２のビット値にマッピングする手段と
を含む、請求項２０に記載の装置。
【請求項２５】
前記ＡＣＫ／ＮＡＣＫフィードバックをバンドルする前記手段が、
各コンポーネントキャリアについてのＡＣＫ／ＮＡＣＫフィードバック値を決定する手段と、
前記コンポーネントキャリアのうちの１つまたは複数の２つ以上のサブフレームについてのＡＣＫ／ＮＡＣＫフィードバックを空間的にバンドルする手段と
を含む、請求項２０に記載の装置。
【請求項２６】
前記ＡＣＫ／ＮＡＣＫフィードバックをバンドルする前記手段が、
ＡＣＫインスタンスの前記総数を決定する手段と、
第１の数のＡＣＫを、前記１つまたは複数のＳＲリソースに関連する第１のビット値にマッピングし、残りの数のＡＣＫを、前記１つまたは複数のＳＲリソースに関連する第２のビット値にマッピングする手段と
を含む、請求項２０に記載の装置。
【請求項２７】
ワイヤレス通信装置であって、
複数のコンポーネントキャリアについてのダウンリンクデータに関連する肯定応答／否定応答（ＡＣＫ／ＮＡＣＫ）フィードバックを決定するように構成されたＡＣＫ／ＮＡＣＫフィードバックモジュールと、
肯定のスケジューリング要求（ＳＲ）が存在すると決定すると、１つまたは複数のＳＲリソースを選択するように構成されたＳＲモジュールと、
前記ＡＣＫ／ＮＡＣＫフィードバックをバンドルするように構成されたバンドリングモジュールと、
前記１つまたは複数の選択されたＳＲリソースを使用して前記複数のコンポーネントキャリアについての前記バンドルされたＡＣＫ／ＮＡＣＫフィードバックを送信するように構成された送信機モジュールと
を備える、ワイヤレス通信装置。
【請求項２８】
前記１つまたは複数のＳＲリソースが、プライマリＳＲリソースと１つまたは複数のセカンダリＳＲリソースとを含む、
請求項２７に記載のワイヤレス通信装置。
【請求項２９】
前記１つまたは複数のセカンダリＳＲリソースが無線リソース制御（ＲＲＣ）設定された、請求項２８に記載のワイヤレス通信装置。
【請求項３０】
少なくとも１つのセカンダリＳＲリソースがユーザ機器と別のユーザ機器との間で共有される、請求項２８に記載のワイヤレス通信装置。
【請求項３１】
前記ＳＲモジュールが、受信された制御情報に従って少なくとも１つのセカンダリＳＲリソースを選択するようにさらに構成される、請求項２８に記載のワイヤレス通信装置。
【請求項３２】
前記制御情報が、セカンダリコンポーネントキャリアの物理ダウンリンク制御チャネル（ＰＤＣＣＨ）上で送信電力制御（ＴＰＣ）フィールドの一部として受信される、請求項３１に記載のワイヤレス通信装置。
【請求項３３】
前記バンドリングモジュールが、
ＡＣＫインスタンスの総数を決定することと、
第１の数のＡＣＫを、前記１つまたは複数のＳＲリソースに関連する第１のビット値にマッピングし、残りの数のＡＣＫを、前記１つまたは複数のＳＲリソースに関連する第２のビット値にマッピングすることと
を行うようにさらに構成される、請求項２８に記載のワイヤレス通信装置。
【請求項３４】
前記ワイヤレス通信装置がＬＴＥユーザ機器であり、前記複数のコンポーネントキャリアが周波数分割複信（ＦＤＤ）キャリアを含み、
前記ＡＣＫ／ＮＡＣＫフィードバックモジュールが、前記複数のコンポーネントキャリア中の第１のＦＤＤコンポーネントキャリアおよび第２のＦＤＤコンポーネントキャリアの各々で受信された１つまたは複数のコードワードについてのＡＣＫ／ＮＡＣＫフィードバックを決定するようにさらに構成され、
前記バンドリングモジュールが、第１のＡＣＫ／ＮＡＣＫビットを取得するために前記第１のＦＤＤコンポーネントキャリアについての前記ＡＣＫ／ＮＡＣＫフィードバックを空間的にバンドルすることと、第２のＡＣＫ／ＮＡＣＫビットを取得するために前記第２のＦＤＤコンポーネントキャリアについての前記ＡＣＫ／ＮＡＣＫフィードバックを空間的にバンドルすることと、前記バンドルされたＡＣＫ／ＮＡＣＫフィードバックを備える前記第１および第２のＡＣＫ／ＮＡＣＫビットを用いてＰＵＣＣＨフォーマット１ｂメッセージを生成することとを行うようにさらに構成される、請求項２７に記載のワイヤレス通信装置。
【請求項３５】
前記ワイヤレス通信装置がＬＴＥユーザ機器であり、前記複数のコンポーネントキャリアが時分割複信（ＴＤＤ）キャリアを含み、
前記ＡＣＫ／ＮＡＣＫフィードバックモジュールが、前記複数のコンポーネントキャリア中の第１のＴＤＤコンポーネントキャリアおよび第２のＴＤＤコンポーネントキャリア上でのデータ送信についてのＡＣＫ／ＮＡＣＫフィードバックを決定するようにさらに構成され、
前記バンドリングモジュールが、前記ＡＣＫ／ＮＡＣＫ情報に基づいて前記第１および第２のコンポーネントキャリア上での前記データ送信についてのＡＣＫインスタンスの数を決定することと、ＡＣＫインスタンスの前記数のマッピングに基づいて前記ＡＣＫ／ＮＡＣＫフィードバックについての第１および第２のビット値を決定することと、前記バンドルされたＡＣＫ／ＮＡＣＫフィードバックを備える前記第１および第２のビットを用いてＰＵＣＣＨフォーマット１ｂメッセージを生成することとを行うようにさらに構成される、請求項２７に記載のワイヤレス通信装置。
【請求項３６】
前記バンドリングモジュールは、肯定ＳＲが存在すると決定すると、第１のコンポーネントキャリアについてのＡＣＫ／ＮＡＣＫフィードバックが第１の基準を満たすときには、ＡＣＫ／ＮＡＣＫフィードバックの送信のために２つ以上の設定されたＳＲリソースから第１のＳＲリソースを選択することと、前記第１のコンポーネントキャリアについてのＡＣＫ／ＮＡＣＫフィードバックが第２の基準を満たすときには、ＡＣＫ／ＮＡＣＫフィードバックの送信のために２つ以上の利用可能なＳＲリソースから第２の設定されたＳＲリソースを選択することとを行うようにさらに構成される、請求項２７に記載のワイヤレス通信装置。
【請求項３７】
ワイヤレス通信のためのコンピュータプログラム製品であって、
複数のコンポーネントキャリアについてのダウンリンクデータに関連する肯定応答／否定応答（ＡＣＫ／ＮＡＣＫ）フィードバックを決定するためのコードと、
肯定のスケジューリング要求（ＳＲ）が存在すると決定すると、１つまたは複数の利用可能なＳＲリソースを選択するためのコードと、
前記ＡＣＫ／ＮＡＣＫフィードバックをバンドルするためのコードと、
前記１つまたは複数の選択されたＳＲリソースを使用して前記複数のコンポーネントキャリアについての前記バンドルされたＡＣＫ／ＮＡＣＫフィードバックを送信するためのコードと
を備える非一時的コンピュータ可読媒体
を備える、ワイヤレス通信のためのコンピュータプログラム製品。
【請求項３８】
前記ＡＣＫ／ＮＡＣＫフィードバックをバンドルするための前記コードが、
各コンポーネントキャリアについてのＡＣＫ／ＮＡＣＫフィードバック値を決定するためのコードと、
前記コンポーネントキャリアにわたってＡＣＫの数をアグリゲートするためのコードと
を含む、請求項３７に記載のコンピュータプログラム製品。
【請求項３９】
前記ＡＣＫ／ＮＡＣＫフィードバックをバンドルするための前記コードが、
各コンポーネントキャリアについてのＡＣＫ／ＮＡＣＫフィードバック値を決定するためのコードと、
ＡＣＫインスタンスの総数を決定するためのコードと、
第１の数のＡＣＫを、前記１つまたは複数のＳＲリソースに関連する第１のビット値にマッピングし、残りの数のＡＣＫを、前記１つまたは複数のＳＲリソースに関連する第２のビット値にマッピングするためのコードと
を含む、請求項３７に記載のコンピュータプログラム製品。
【請求項４０】
前記第１の数のＡＣＫが、前記複数のコンポーネントキャリアの第１のサブセット中のＡＣＫに対応し、前記残りの数のＡＣＫが、前記複数のコンポーネントキャリアの残部に対応する、請求項３９に記載のコンピュータプログラム製品。
【請求項４１】
前記複数のコンポーネントキャリアが第１および第２のダウンリンクコンポーネントキャリアを含み、前記ＡＣＫ／ＮＡＣＫフィードバックをバンドルするための前記コードが、
前記第１および第２のコンポーネントキャリアの各々についてのＡＣＫ／ＮＡＣＫフィードバック値を決定するためのコードと、
前記第１のコンポーネントキャリアについての前記ＡＣＫ／ＮＡＣＫフィードバックを、前記１つまたは複数のＳＲリソースに関連する第１のビット値にマッピングし、前記第２のコンポーネントキャリアについての前記ＡＣＫ／ＮＡＣＫフィードバックを、前記１つまたは複数のＳＲリソースに関連する第２のビット値にマッピングするためのコードと
を含む、請求項３７に記載のコンピュータプログラム製品。
【請求項４２】
前記ＨＡＲＱフィードバックをバンドルするための前記コードが、
各コンポーネントキャリアについてのＡＣＫ／ＮＡＣＫフィードバック値を決定するためのコードと、
前記コンポーネントキャリアのうちの１つまたは複数の２つ以上のサブフレームについてのＡＣＫ／ＮＡＣＫフィードバックを空間的にバンドルするためのコードと
を含む、請求項３７に記載のコンピュータプログラム製品。
【請求項４３】
前記ＡＣＫ／ＮＡＣＫフィードバックをバンドルするための前記コードが、
ＡＣＫインスタンスの前記総数を決定するためのコードと、
第１の数のＡＣＫを、前記１つまたは複数のＳＲリソースに関連する第１のビット値にマッピングし、残りの数のＡＣＫを、前記１つまたは複数のＳＲリソースに関連する第２のビット値にマッピングするためのコードと
を含む、請求項３７に記載のコンピュータプログラム製品。
【請求項４４】
複数のコンポーネントキャリアを備えたワイヤレス通信システムにおいて動作するように構成されたユーザ機器に１つまたは複数のスケジューリング要求（ＳＲ）リソースを割り振ることと、
前記ユーザ機器に割り振られた前記１つまたは複数のＳＲリソース上でＡＣＫ／ＮＡＣＫフィードバックを受信することと、
前記受信されたＡＣＫ／ＮＡＣＫフィードバックに従って前記複数のコンポーネントキャリア上のダウンリンクデータについてのユーザ機器再送信要求を決定することと
を備える、ワイヤレス通信の方法。
【請求項４５】
前記ユーザ機器再送信要求を決定することが、
前記１つまたは複数のＳＲリソース上で受信された情報を、前記ユーザ機器のダウンリンクデータに関連する肯定応答（ＡＣＫ）および／または否定応答（ＮＡＣＫ）フィードバックにマッピングすること
を含む、請求項４４に記載の方法。
【請求項４６】
前記ユーザ機器再送信要求を決定することが、
前記１つまたは複数のＳＲリソースに関連する第１のビット値を、前記複数のコンポーネントキャリアの第１のサブセット上の第１の数のＡＣＫにマッピングすることと、
前記第１の数のＡＣＫに従って前記複数のコンポーネントキャリアの前記第１のサブセット上のダウンリンクデータについての前記ユーザ機器再送信要求を決定することと、
前記１つまたは複数のＳＲリソースに関連する第２のビット値を、前記複数のコンポーネントキャリアの第２のサブセット上の第２の数のＡＣＫにマッピングすることと、
前記第２の数のＡＣＫに従って前記複数のコンポーネントキャリアの前記第２のサブセット上のダウンリンクデータについての前記ユーザ機器再送信要求を決定することと
を含む、請求項４４に記載の方法。
【請求項４７】
前記第１の数のＡＣＫが、第１のコンポーネントキャリア上のＡＣＫに対応し、前記第２の数のＡＣＫが、第２のコンポーネントキャリア上のＡＣＫに対応する、請求項４６に記載の方法。
【請求項４８】
前記１つまたは複数のＳＲリソースのうちの少なくとも１つが２つ以上のユーザ機器間で共有される、請求項４４に記載の方法。
【請求項４９】
ワイヤレス通信装置であって、
複数のコンポーネントキャリアを備えたワイヤレス通信システムにおいて動作するように構成されたユーザ機器に１つまたは複数のスケジューリング要求（ＳＲ）リソースを割り振る手段と、
前記ユーザ機器に割り振られた前記１つまたは複数のＳＲリソース上で肯定応答／否定応答（ＡＣＫ／ＮＡＣＫ）フィードバックを受信する手段と、
前記受信されたＡＣＫ／ＮＡＣＫフィードバックに従って前記複数のコンポーネントキャリア上のダウンリンクデータについてのユーザ機器再送信要求を決定する手段と
を備える、ワイヤレス通信装置。
【請求項５０】
前記ユーザ機器再送信要求を決定する前記手段が、
前記１つまたは複数のＳＲリソース上で受信された情報を、前記ユーザ機器のダウンリンクデータに関連する肯定応答（ＡＣＫ）および／または否定応答（ＮＡＣＫ）フィードバックにマッピングする手段
を含む、請求項４９に記載の装置。
【請求項５１】
前記ユーザ機器再送信要求を決定する前記手段が、
前記１つまたは複数のＳＲリソースに関連する第１のビット値を、前記複数のコンポーネントキャリアの第１のサブセット上の第１の数のＡＣＫにマッピングする手段と、
前記第１の数のＡＣＫに従って前記複数のコンポーネントキャリアの前記第１のサブセット上のダウンリンクデータについての前記ユーザ機器再送信要求を決定する手段と、
前記１つまたは複数のＳＲリソースに関連する第２のビット値を、前記複数のコンポーネントキャリアの第２のサブセット上の第２の数のＡＣＫにマッピングする手段と、
前記第２の数のＡＣＫに従って前記複数のコンポーネントキャリアの前記第２のサブセット上のダウンリンクデータについての前記ユーザ機器再送信要求を決定する手段と
を含む、請求項４９に記載の装置。
【請求項５２】
前記第１の数のＡＣＫが、第１のコンポーネントキャリア上のＡＣＫに対応し、前記第２の数のＡＣＫが、第２のコンポーネントキャリア上のＡＣＫに対応する、請求項５１に記載の装置。
【請求項５３】
ワイヤレス通信のためのコンピュータプログラム製品であって、
複数のコンポーネントキャリアを備えたワイヤレス通信システムにおいて動作するように構成されたユーザ機器に１つまたは複数のスケジューリング要求（ＳＲ）リソースを割り振るためのコードと、
前記ユーザ機器に割り振られた前記１つまたは複数のＳＲリソース上で肯定応答／否定応答（ＡＣＫ／ＮＡＣＫ）フィードバックを受信するためのコードと、
前記受信されたＡＣＫ／ＮＡＣＫフィードバックに従って前記複数のコンポーネントキャリア上のダウンリンクデータについてのユーザ機器再送信要求を決定するためのコードと
を備える非一時的コンピュータ可読媒体
を備える、ワイヤレス通信のためのコンピュータプログラム製品。
【請求項５４】
前記ユーザ機器再送信要求を決定するための前記コードが、
前記１つまたは複数のＳＲリソース上で受信された情報を、前記ユーザ機器のダウンリンクデータに関連する肯定応答（ＡＣＫ）および／または否定応答（ＮＡＣＫ）フィードバックにマッピングするためのコード
を含む、請求項５３に記載のコンピュータプログラム製品。
【請求項５５】
前記ユーザ機器再送信要求を決定するための前記コードが、
前記１つまたは複数のＳＲリソースに関連する第１のビット値を、前記複数のコンポーネントキャリアの第１のサブセット上の第１の数のＡＣＫにマッピングするためのコードと、
前記第１の数のＡＣＫに従って前記複数のコンポーネントキャリアの前記第１のサブセット上のダウンリンクデータについての前記ユーザ機器再送信要求を決定するためのコードと、
前記１つまたは複数のＳＲリソースに関連する第２のビット値を、前記複数のコンポーネントキャリアの第２のサブセット上の第２の数のＡＣＫにマッピングするためのコードと、
前記第２の数のＡＣＫに従って前記複数のコンポーネントキャリアの前記第２のサブセット上のダウンリンクデータについての前記ユーザ機器再送信要求を決定するためのコードと
を含む、請求項５３に記載のコンピュータプログラム製品。
【請求項５６】
前記第１の数のＡＣＫが、第１のコンポーネントキャリア上のＡＣＫに対応し、前記第２の数のＡＣＫが、第２のコンポーネントキャリア上のＡＣＫに対応する、請求項５５に記載のコンピュータプログラム製品。
【請求項５７】
ワイヤレス通信装置であって、
複数のコンポーネントキャリアを備えたワイヤレス通信システムにおいて動作するように構成されたユーザ機器に１つまたは複数のスケジューリング要求（ＳＲ）リソースを割り振るように構成されたＳＲモジュールと、
前記ユーザ機器に割り振られた前記１つまたは複数のＳＲリソース上で肯定応答／否定応答（ＡＣＫ／ＮＡＣＫ）フィードバックを受信することと、前記受信されたＡＣＫ／ＮＡＣＫフィードバックに従って前記複数のコンポーネントキャリア上のダウンリンクデータについてのユーザ機器再送信要求を決定することとを行うように構成されたＡＣＫ／ＮＡＣＫフィードバックモジュールと
を備える、ワイヤレス通信装置。
【請求項５８】
前記ＡＣＫ／ＮＡＣＫフィードバックモジュールが、前記１つまたは複数のＳＲリソース上で受信された情報を、前記ユーザ機器のダウンリンクデータに関連する肯定応答（ＡＣＫ）および／または否定応答（ＮＡＣＫ）フィードバックにマッピングするようにさらに構成される、請求項５７に記載の装置。
【請求項５９】
前記ＡＣＫ／ＮＡＣＫフィードバックモジュールが、
前記１つまたは複数のＳＲリソースに関連する第１のビット値を、前記複数のコンポーネントキャリアの第１のサブセット上の第１の数のＡＣＫにマッピングすることと、
前記第１の数のＡＣＫに従って前記複数のコンポーネントキャリアの前記第１のサブセット上のダウンリンクデータについての前記ユーザ機器再送信要求を決定することと、
前記１つまたは複数のＳＲリソースに関連する第２のビット値を、前記複数のコンポーネントキャリアの第２のサブセット上の第２の数のＡＣＫにマッピングすることと、
前記第２の数のＡＣＫに従って前記複数のコンポーネントキャリアの前記第２のサブセット上のダウンリンクデータについての前記ユーザ機器再送信要求を決定することと
を行うようにさらに構成される、請求項５７に記載の装置。
【請求項６０】
前記第１の数のＡＣＫが、第１のコンポーネントキャリア上のＡＣＫに対応し、前記第２の数のＡＣＫが、第２のコンポーネントキャリア上のＡＣＫに対応する、請求項５９に記載の装置。
【発明の詳細な説明】
【技術分野】
【０００１】
相互参照
本特許出願は、本出願の譲受人に譲渡され、参照により本明細書に明確に組み込まれる、２０１０年１１月２日に出願された「HYBRID AUTOMATIC REPEAT REQUEST FEEDBACK TRANSMISSION IN A MULTI-COMPONENT CARRIER COMMUNICATION SYSTEM」と題する米国仮特許出願第６１／４０９，５２０号の優先権を主張する。
【０００２】
以下は、一般にワイヤレス通信に関し、より詳細には、マルチキャリア通信システムにおけるアップリンク制御情報の送信に関する。
【背景技術】
【０００３】
ワイヤレス通信システムは、ボイス、ビデオ、パケットデータ、メッセージング、ブロードキャストなど、様々なタイプの通信コンテンツを提供するために広く展開されている。これらのシステムは、利用可能なシステムリソース（たとえば、時間、周波数、および電力）を共有することによって複数のユーザとの通信をサポートすることが可能な多元接続システムであり得る。そのような多元接続システムの例には、符号分割多元接続（ＣＤＭＡ）システム、時分割多元接続（ＴＤＭＡ）システム、周波数分割多元接続（ＦＤＭＡ）システム、３ＧＰＰ  Ｌｏｎｇ  Ｔｅｒｍ  Ｅｖｏｌｕｔｉｏｎ（ＬＴＥ）システム、および直交周波数分割多元接続（ＯＦＤＭＡ）システムがある。
【０００４】
一般に、ワイヤレス多元接続通信システムは、複数のワイヤレス端末のための通信を同時にサポートすることができる。各端末またはユーザ機器（ＵＥ）は、順方向および逆方向リンク上の伝送を通じて１つまたは複数の基地局と通信する。順方向リンク（またはダウンリンク）は基地局からユーザ機器への通信リンクを指し、逆方向リンク（またはアップリンク）はユーザ機器から基地局への通信リンクを指す。この通信リンクは、単入力単出力、多入力単出力または多入力多出力（ＭＩＭＯ）システムを通して確立され得る。
【０００５】
ＬＴＥシステムでは、物理ダウンリンク共有チャネル（ＰＤＳＣＨ）が、データおよびシグナリング情報をユーザ機器に搬送する。ユーザ機器は、ハイブリッド自動再送要求（ＨＡＲＱ）プロセスに従って、正しく受信されなかったデータパケットの再送信を要求することができる。ＨＡＲＱプロセスによれば、ユーザ機器は、ユーザ機器において前方誤り訂正（ＦＥＣ）コードによって訂正されることができなかったパケットの再送信を要求するにすぎない。データの受信に応答して、ユーザ機器は、データが正しく受信されたことを示す肯定応答（ＡＣＫ）、またはデータが正しく受信されなかったことを示す否定応答（ＮＡＣＫ）を生成する。ＡＣＫ／ＮＡＣＫは、物理アップリンク制御チャネル（ＰＵＣＣＨ）上で、または物理アップリンク共有チャネル（ＰＵＳＣＨ）上でアップリンクデータ送信と多重化されて、基地局（またはｅノードＢ）に送信され得る。
【発明の概要】
【０００６】
説明する特徴は、概して、マルチキャリアワイヤレス通信システムにおけるスケジューリング要求およびＡＣＫ／ＮＡＣＫフィードバック情報の両方を含む制御情報のパッケージングおよび送信のための、１つまたは複数の改善されたシステム、方法、および／またはデバイスに関する。説明する方法および装置の適用性のさらなる範囲は、以下の詳細な説明、特許請求の範囲、および図面から明らかになろう。当業者には説明の趣旨および範囲内の様々な変更および改変が明らかであるので、詳細な説明および具体例は、単に一例として与えるものである。
【０００７】
開示する実施形態は、複数コンポーネントキャリアワイヤレス通信システムにおいて肯定のスケジューリング要求とともに肯定応答／否定応答（ＡＣＫ／ＮＡＣＫ）フィードバックの送信を容易にする、システム、方法、デバイスおよびコンピュータプログラム製品に関する。一態様は、ユーザ機器において、複数のコンポーネントキャリアについてのダウンリンクデータに関連するＡＣＫ／ＮＡＣＫフィードバックを決定することを含む、ワイヤレス通信の方法に関する。該方法は、肯定のスケジューリング要求（ＳＲ：scheduling request）が存在すると決定すると、ユーザ機器にとって利用可能な１つまたは複数のＳＲリソースを選択することと、利用可能なＳＲリソースのうちの１つまたは複数を使用して複数のコンポーネントキャリアについてのＡＣＫ／ＮＡＣＫフィードバックを送信することとをさらに備える。
【０００８】
一例では、ユーザ機器は、周波数分割複信（ＦＤＤ）キャリアを備える複数のコンポーネントキャリアを使用して動作するように構成されたＬＴＥユーザ機器である。ＬＴＥユーザ機器は、第１のＦＤＤコンポーネントキャリアおよび第２のＦＤＤコンポーネントキャリアの各々で受信された１つまたは複数のコードワードについてのＡＣＫ／ＮＡＣＫフィードバックを決定する。第１のＦＤＤコンポーネントキャリアについてのＡＣＫ／ＮＡＣＫフィードバックは、第１のＡＣＫ／ＮＡＣＫビットを取得するために空間的にバンドルされ、第２のＦＤＤコンポーネントキャリアについてのＡＣＫ／ＮＡＣＫフィードバックは、第２のＡＣＫ／ＮＡＣＫビットを取得するために空間的にバンドルされる。バンドルされたＡＣＫ／ＮＡＣＫフィードバックを備える第１および第２のＡＣＫ／ＮＡＣＫビットを用いてＰＵＣＣＨフォーマット１ｂメッセージが生成される。バンドルされたＡＣＫ／ＮＡＣＫフィードバックは、肯定のスケジューリング要求が存在するときには、識別されたＳＲリソース上で送信される。いくつかの例では、有効ＡＣＫ／ＮＡＣＫビット数が増加され、ＡＣＫ、ＮＡＣＫ、および／またはＤＴＸなど、第１および第２のコンポーネントキャリアのうちの１つまたは複数についての追加のフィードバック状態がシグナリングされることができる。追加の状態は、ＰＵＣＣＨフォーマット１ｂメッセージによって搬送されることができる。
【０００９】
別の例では、ユーザ機器は、時分割複信（ＴＤＤ）キャリアを備える複数のコンポーネントキャリアを使用して動作するように構成されたＬＴＥユーザ機器である。そのような例のＬＴＥユーザ機器は、第１のＴＤＤコンポーネントキャリアおよび第２のＴＤＤコンポーネントキャリア上でのデータ伝送についてのＡＣＫ／ＮＡＣＫフィードバックを決定し得る。ＡＣＫ／ＮＡＣＫ情報に基づいて第１および第２のコンポーネントキャリア上でのデータ伝送について、ＡＣＫインスタンスの数が決定され得る。次いで、ＡＣＫインスタンスの数のマッピングに基づいてＡＣＫ／ＮＡＣＫフィードバックについて第１および第２のビット値が決定され得る。バンドルされたＡＣＫ／ＮＡＣＫフィードバックを備える第１および第２のビットを用いてＰＵＣＣＨフォーマット１ｂメッセージが生成されることができ、その際、バンドルされたＡＣＫ／ＮＡＣＫフィードバックは、識別されたＳＲリソース上で送信される。
【００１０】
別の例は、スケジューリング要求（ＳＲ）が送信されるべきであると決定すると、ユーザ機器にとって利用可能な１つまたは複数のＳＲリソースを選択するように構成されたＬＴＥユーザ機器を提供する。１つまたは複数のＳＲリソースの選択は、ユーザ機器において受信された複数のダウンリンクコンポーネントキャリアに関連するフィードバック情報の状態に基づく。ユーザ機器は、複数のＳＲリソースを使用するように構成されることができ、スケジューリング要求がアップリンクサブフレーム中でＡＣＫ／ＮＡＣＫフィードバックとともに送信されるべきであると決定されたときには、ＡＣＫ／ＮＡＣＫ情報の追加のビットをシグナリングするために、設定されたＳＲリソースの中から選択することができる。
【００１１】
一例では、ワイヤレス通信の方法が提供される。該方法は、ユーザ機器において、複数のコンポーネントキャリア上でのダウンリンクデータ送信に関連する肯定応答／否定応答（ＡＣＫ／ＮＡＣＫ）フィードバックを決定することを含む。該方法は、また、肯定のスケジューリング要求（ＳＲ）が存在すると決定すると、ユーザ機器にとって利用可能な１つまたは複数のＳＲリソースを識別することと、ＡＣＫ／ＮＡＣＫフィードバックをバンドルすることと、１つまたは複数の選択されたＳＲリソースを使用して複数のコンポーネントキャリアについてのバンドルされたＡＣＫ／ＮＡＣＫフィードバックを送信することとを含む。ＡＣＫ／ＮＡＣＫフィードバックをバンドルすることは、各コンポーネントキャリアについてのＡＣＫ／ＮＡＣＫフィードバック値を決定することと、コンポーネントキャリアにわたってＡＣＫの数をアグリゲートすることとを含み得る。ＡＣＫ／ＮＡＣＫフィードバックをバンドルすることは、また、各コンポーネントキャリアについてのＡＣＫ／ＮＡＣＫフィードバック値を決定することと、ＡＣＫインスタンスの総数を決定することと、第１の数のＡＣＫを、１つまたは複数のＳＲリソースに関連する第１のビット値にマッピングすることと、残りの数のＡＣＫを、１つまたは複数のＳＲリソースに関連する第２のビット値にマッピングすることとを含み得る。第１の数のＡＣＫは、複数のコンポーネントキャリアの第１のサブセット中のＡＣＫに対応し得るものであり、残りの数のＡＣＫは、複数のコンポーネントキャリアの残部に対応し得るものである。複数のコンポーネントキャリアの第１のサブセットは、一例では、第１のコンポーネントキャリアを備え、複数のコンポーネントキャリアの残部は、第２のコンポーネントキャリアを備える。一例では、複数のコンポーネントキャリアは、第１および第２のダウンリンクコンポーネントキャリアを備え、ＡＣＫ／ＮＡＣＫフィードバックをバンドルすることは、第１および第２のコンポーネントキャリアの各々についてのＡＣＫ／ＮＡＣＫフィードバック値を決定することと、第１のコンポーネントキャリアについてのＡＣＫ／ＮＡＣＫフィードバックを、１つまたは複数のＳＲリソースに関連する第１のビット値にマッピングし、第２のコンポーネントキャリアについてのＡＣＫ／ＮＡＣＫフィードバックを、１つまたは複数のＳＲリソースに関連する第２のビット値にマッピングすることとを備える。
【００１２】
１つまたは複数のＳＲリソースは、無線リソース制御（ＲＲＣ：radio resource control）設定され得る。少なくとも１つのセカンダリＳＲリソースは、上記ユーザ機器と別のユーザ機器との間で共有され得る。１つまたは複数のＳＲリソースの選択は、受信された制御情報に従って少なくとも１つのセカンダリＳＲリソースを選択することを備え得る。受信された制御情報は、ＡＣＫ／ＮＡＣＫリソースインジケータ（ＡＲＩ：ACK/NACK resource indicator）および時分割多重情報のうちの少なくとも１つを備え得る。ＡＣＫ／ＮＡＣＫフィードバックの送信よりも前に、複数の肯定応答（ＡＣＫ）および／または否定応答（ＮＡＣＫ）フィードバックが、ＡＣＫインスタンスの総数を決定することと、第１の数のＡＣＫを、１つまたは複数のＳＲリソースに関連する第１のビット値にマッピングすることと、残りの数のＡＣＫを、１つまたは複数のＳＲリソースに関連する第２のビット値にマッピングすることとを含み得る、バンドルする操作を受け得る。ＳＲリソースの選択は、たとえば、ＵＥがＳＲ要求を行うときにＡＣＫ／ＮＡＣＫフィードバックを搬送するための有効ビット数を増加させ得る。ＡＣＫ／ＮＡＣＫフィードバックは、アップリンク制御情報フォーマット１ｂを使用して動作するように構成されたロングタームエボリューション（ＬＴＥ）ワイヤレス通信システムの物理アップリンク制御チャネル（ＰＵＣＣＨ）上で送信され得る。
【００１３】
別の例では、ワイヤレス通信装置が、ユーザ機器において、複数のコンポーネントキャリアについてのダウンリンクデータに関連する肯定応答／否定応答（ＡＣＫ／ＮＡＣＫ）フィードバックを決定する手段を含む。該装置は、また、肯定のスケジューリング要求（ＳＲ）が存在すると決定すると、ユーザ機器にとって利用可能な１つまたは複数のＳＲリソースを識別する手段と、ＡＣＫ／ＮＡＣＫフィードバックをバンドルする手段と、１つまたは複数の選択されたＳＲリソースを使用して複数のコンポーネントキャリアについてのバンドルされたＡＣＫ／ＮＡＣＫフィードバックを送信する手段とを含む。ＡＣＫ／ＮＡＣＫフィードバックをバンドルする手段は、各コンポーネントキャリアについてのＡＣＫ／ＮＡＣＫフィードバック値を決定する手段と、コンポーネントキャリアにわたってＡＣＫの数をアグリゲートする手段とを含み得る。ＡＣＫ／ＮＡＣＫフィードバックをバンドルする手段は、各コンポーネントキャリアについてのＡＣＫ／ＮＡＣＫフィードバック値を決定する手段と、ＡＣＫインスタンスの総数を決定する手段と、第１の数のＡＣＫを、１つまたは複数のＳＲリソースに関連する第１のビット値にマッピングし、残りの数のＡＣＫを、１つまたは複数のＳＲリソースに関連する第２のビット値にマッピングする手段とを含み得る。第１の数のＡＣＫは、複数のコンポーネントキャリアの第１のサブセット中のＡＣＫに対応し得るものであり、残りの数のＡＣＫは、複数のコンポーネントキャリアの残部に対応し得るものである。複数のコンポーネントキャリアは、第１および第２のダウンリンクコンポーネントキャリアを含み得る。ＡＣＫ／ＮＡＣＫフィードバックをバンドルする手段は、第１および第２のコンポーネントキャリアの各々についてのＡＣＫ／ＮＡＣＫフィードバック値を決定する手段と、第１のコンポーネントキャリアについてのＡＣＫ／ＮＡＣＫフィードバックを、１つまたは複数のＳＲリソースに関連する第１のビット値にマッピングし、第２のコンポーネントキャリアについてのＡＣＫ／ＮＡＣＫフィードバックを、１つまたは複数のＳＲリソースに関連する第２のビット値にマッピングする手段とを含み得る。
【００１４】
ＡＣＫ／ＮＡＣＫフィードバックをバンドルする手段は、各コンポーネントキャリアについてのＡＣＫ／ＮＡＣＫフィードバック値を決定する手段と、コンポーネントキャリアのうちの１つまたは複数の２つ以上のサブフレームについてのＡＣＫ／ＮＡＣＫフィードバックを空間的にバンドルする手段とを含み得る。ＡＣＫ／ＮＡＣＫフィードバックをバンドルする手段は、また、ＡＣＫインスタンスの総数を決定する手段と、第１の数のＡＣＫを、１つまたは複数のＳＲリソースに関連する第１のビット値にマッピングし、残りの数のＡＣＫを、１つまたは複数のＳＲリソースに関連する第２のビット値にマッピングする手段とを含み得る。
【００１５】
別の例では、ワイヤレス通信装置が、複数のコンポーネントキャリアについてのダウンリンクデータに関連する肯定応答／否定応答（ＡＣＫ／ＮＡＣＫ）フィードバックを決定するように構成されたＡＣＫ／ＮＡＣＫフィードバックモジュールを含む。該装置は、また、肯定のスケジューリング要求（ＳＲ）が存在すると決定すると、１つまたは複数のＳＲリソースを選択するように構成されたＳＲモジュールと、ＡＣＫ／ＮＡＣＫフィードバックをバンドルするように構成されたバンドリングモジュールと、１つまたは複数の選択されたＳＲリソースを使用して複数のコンポーネントキャリアについてのバンドルされたＡＣＫ／ＮＡＣＫフィードバックを送信するように構成された送信機モジュールとを含む。１つまたは複数のＳＲリソースは、プライマリＳＲリソースと１つまたは複数のセカンダリＳＲリソースとを含み得る。１つまたは複数のセカンダリＳＲリソースは、無線リソース制御（ＲＲＣ）設定され得る。少なくとも１つのセカンダリＳＲリソースは、ユーザ機器と別のユーザ機器との間で共有され得る。ＳＲモジュールは、いくつかの例では、受信された制御情報に従って少なくとも１つのセカンダリＳＲリソースを選択するようにさらに構成される。制御情報は、セカンダリコンポーネントキャリアの物理ダウンリンク制御チャネル（ＰＤＣＣＨ）上で送信電力制御（ＴＰＣ：transmit power control）フィールドの一部として受信され得る。バンドリングモジュールは、ＡＣＫインスタンスの総数を決定することと、第１の数のＡＣＫを、１つまたは複数のＳＲリソースに関連する第１のビット値にマッピングし、残りの数のＡＣＫを、１つまたは複数のＳＲリソースに関連する第２のビット値にマッピングすることとを行うようにさらに構成され得る。
【００１６】
ワイヤレス通信のためのコンピュータプログラム製品が、複数のコンポーネントキャリアについてのダウンリンクデータに関連する肯定応答／否定応答（ＡＣＫ／ＮＡＣＫ）フィードバックを決定するためのコードと、肯定のスケジューリング要求（ＳＲ）が存在すると決定すると、１つまたは複数の利用可能なＳＲリソースを選択するためのコードと、ＡＣＫ／ＮＡＣＫフィードバックをバンドルするためのコードと、１つまたは複数の選択されたＳＲリソースを使用して複数のコンポーネントキャリアについてのバンドルされたＡＣＫ／ＮＡＣＫフィードバックを送信するためのコードとを含む非一時的コンピュータ可読媒体を備え得る。ＡＣＫ／ＮＡＣＫフィードバックをバンドルするためのコードは、各コンポーネントキャリアについてのＡＣＫ／ＮＡＣＫフィードバック値を決定するためのコードと、コンポーネントキャリアにわたってＡＣＫの数をアグリゲートするためのコードとを含み得る。ＡＣＫ／ＮＡＣＫフィードバックをバンドルするためのコードは、各コンポーネントキャリアについてのＡＣＫ／ＮＡＣＫフィードバック値を決定するためのコードと、ＡＣＫインスタンスの総数を決定するためのコードと、第１の数のＡＣＫを、１つまたは複数のＳＲリソースに関連する第１のビット値にマッピングし、残りの数のＡＣＫを、１つまたは複数のＳＲリソースに関連する第２のビット値にマッピングするためのコードとを含み得る。第１の数のＡＣＫは、複数のコンポーネントキャリアの第１のサブセット中のＡＣＫに対応し得るものであり、残りの数のＡＣＫは、複数のコンポーネントキャリアの残部に対応し得るものである。複数のコンポーネントキャリアは、第１および第２のダウンリンクコンポーネントキャリアを含み得るものであり、ＡＣＫ／ＮＡＣＫフィードバックをバンドルするためのコードは、第１および第２のコンポーネントキャリアの各々についてのＡＣＫ／ＮＡＣＫフィードバック値を決定するためのコードと、第１のコンポーネントキャリアについてのＡＣＫ／ＮＡＣＫフィードバックを、１つまたは複数のＳＲリソースに関連する第１のビット値にマッピングし、第２のコンポーネントキャリアについてのＡＣＫ／ＮＡＣＫフィードバックを、１つまたは複数のＳＲリソースに関連する第２のビット値にマッピングするためのコードとを含み得る。ＨＡＲＱフィードバックをバンドルするためのコードは、各コンポーネントキャリアについてのＡＣＫ／ＮＡＣＫフィードバック値を決定するためのコードと、コンポーネントキャリアのうちの１つまたは複数の２つ以上のサブフレームについてのＡＣＫ／ＮＡＣＫフィードバックを空間的にバンドルするためのコードとを含み得る。ＡＣＫ／ＮＡＣＫフィードバックをバンドルするためのコードは、ＡＣＫインスタンスの総数を決定するためのコードと、第１の数のＡＣＫを、１つまたは複数のＳＲリソースに関連する第１のビット値にマッピングし、残りの数のＡＣＫを、１つまたは複数のＳＲリソースに関連する第２のビット値にマッピングするためのコードとを含み得る。
【００１７】
別の例では、ワイヤレス通信の方法が、複数のコンポーネントキャリアを備えたワイヤレス通信システムにおいて動作するように構成されたユーザ機器に１つまたは複数のスケジューリング要求（ＳＲ）リソースを割り振ることと、ユーザ機器に割り振られた１つまたは複数のＳＲリソース上でＡＣＫ／ＮＡＣＫフィードバックを受信することと、受信されたＡＣＫ／ＮＡＣＫフィードバックに従って複数のコンポーネントキャリア上のダウンリンクデータについてのユーザ機器再送信要求を決定することとを含む。ユーザ機器再送信要求は、１つまたは複数のＳＲリソース上で受信された情報を、ユーザ機器のダウンリンクデータに関連する肯定応答（ＡＣＫ）および／または否定応答（ＮＡＣＫ）フィードバックにマッピングすることを含み得る。ユーザ機器再送信要求を決定することは、１つまたは複数のＳＲリソースに関連する第１のビット値を、複数のコンポーネントキャリアの第１のサブセット上の第１の数のＡＣＫにマッピングすることと、第１の数のＡＣＫに従って複数のコンポーネントキャリアの第１のサブセット上のダウンリンクデータについてのユーザ機器再送信要求を決定することと、１つまたは複数のＳＲリソースに関連する第２のビット値を、複数のコンポーネントキャリアの第２のサブセット上の第２の数のＡＣＫにマッピングすることと、第２の数のＡＣＫに従って複数のコンポーネントキャリアの第２のサブセット上のダウンリンクデータについてのユーザ機器再送信要求を決定することとを含み得る。第１の数のＡＣＫは、第１のコンポーネントキャリア上のＡＣＫに対応し得るものであり、第２の数のＡＣＫは、第２のコンポーネントキャリア上のＡＣＫに対応し得るものである。ＳＲリソースは、２つ以上のユーザ機器間で共有され得る。
【００１８】
別の例のワイヤレス通信装置が、複数のコンポーネントキャリアを備えたワイヤレス通信システムにおいて動作するように構成されたユーザ機器に１つまたは複数のスケジューリング要求（ＳＲ）リソースを割り振る手段と、ユーザ機器に割り振られた１つまたは複数のＳＲリソース上で肯定応答／否定応答（ＡＣＫ／ＮＡＣＫ）フィードバックを受信する手段と、受信されたＡＣＫ／ＮＡＣＫフィードバックに従って複数のコンポーネントキャリア上のダウンリンクデータについてのユーザ機器再送信要求を決定する手段とを含む。ユーザ機器再送信要求を決定する手段は、１つまたは複数のＳＲリソース上で受信された情報を、ユーザ機器のダウンリンクデータに関連する肯定応答（ＡＣＫ）および／または否定応答（ＮＡＣＫ）フィードバックにマッピングする手段を含み得る。ユーザ機器再送信要求を決定する手段は、１つまたは複数のＳＲリソースに関連する第１のビット値を、複数のコンポーネントキャリアの第１のサブセット上の第１の数のＡＣＫにマッピングする手段と、第１の数のＡＣＫに従って複数のコンポーネントキャリアの第１のサブセット上のダウンリンクデータについてのユーザ機器再送信要求を決定する手段と、１つまたは複数のＳＲリソースに関連する第２のビット値を、複数のコンポーネントキャリアの第２のサブセット上の第２の数のＡＣＫにマッピングする手段と、第２の数のＡＣＫに従って複数のコンポーネントキャリアの第２のサブセット上のダウンリンクデータについてのユーザ機器再送信要求を決定する手段とを含み得る。第１の数のＡＣＫは、第１のコンポーネントキャリア上のＡＣＫに対応し得るものであり、第２の数のＡＣＫは、第２のコンポーネントキャリア上のＡＣＫに対応し得るものである。
【００１９】
一例のワイヤレス通信のためのコンピュータプログラム製品が、複数のコンポーネントキャリアを備えたワイヤレス通信システムにおいて動作するように構成されたユーザ機器に１つまたは複数のスケジューリング要求（ＳＲ）リソースを割り振るためのコードと、ユーザ機器に割り振られた１つまたは複数のＳＲリソース上で肯定応答／否定応答（ＡＣＫ／ＮＡＣＫ）フィードバックを受信するためのコードと、受信されたＡＣＫ／ＮＡＣＫフィードバックに従って複数のコンポーネントキャリア上のダウンリンクデータについてのユーザ機器再送信要求を決定するためのコードとを含む非一時的コンピュータ可読媒体を含む。ユーザ機器再送信要求を決定するためのコードは、１つまたは複数のＳＲリソース上で受信された情報を、ユーザ機器のダウンリンクデータに関連する肯定応答（ＡＣＫ）および／または否定応答（ＮＡＣＫ）フィードバックにマッピングするためのコードを含み得る。ユーザ機器再送信要求を決定するためのコードは、１つまたは複数のＳＲリソースに関連する第１のビット値を、複数のコンポーネントキャリアの第１のサブセット上の第１の数のＡＣＫにマッピングするためのコードと、第１の数のＡＣＫに従って複数のコンポーネントキャリアの第１のサブセット上のダウンリンクデータについてのユーザ機器再送信要求を決定するためのコードと、１つまたは複数のＳＲリソースに関連する第２のビット値を、複数のコンポーネントキャリアの第２のサブセット上の第２の数のＡＣＫにマッピングするためのコードと、第２の数のＡＣＫに従って複数のコンポーネントキャリアの第２のサブセット上のダウンリンクデータについてのユーザ機器再送信要求を決定するためのコードとを含み得る。第１の数のＡＣＫは、第１のコンポーネントキャリア上のＡＣＫに対応し得るものであり、第２の数のＡＣＫは、第２のコンポーネントキャリア上のＡＣＫに対応し得るものである。
【００２０】
別の例のワイヤレス通信装置が、複数のコンポーネントキャリアを備えたワイヤレス通信システムにおいて動作するように構成されたユーザ機器に１つまたは複数のスケジューリング要求（ＳＲ）リソースを割り振るように構成されたスケジューリング要求（ＳＲ）モジュールと、ユーザ機器に割り振られた１つまたは複数のＳＲリソース上で肯定応答／否定応答（ＡＣＫ／ＮＡＣＫ）フィードバックを受信し、受信されたＡＣＫ／ＮＡＣＫフィードバックに従って複数のコンポーネントキャリア上のダウンリンクデータについてのユーザ機器再送信要求を決定するように構成された肯定応答／否定応答（ＡＣＫ／ＮＡＣＫ）フィードバックモジュールとを含む。ＡＣＫ／ＮＡＣＫフィードバックモジュールは、１つまたは複数のＳＲリソース上で受信された情報を、ユーザ機器のダウンリンクデータに関連する肯定応答（ＡＣＫ）および／または否定応答（ＮＡＣＫ）フィードバックにマッピングするようにさらに構成され得る。ＡＣＫ／ＮＡＣＫフィードバックモジュールは、また、１つまたは複数のＳＲリソースに関連する第１のビット値を、複数のコンポーネントキャリアの第１のサブセット上の第１の数のＡＣＫにマッピングし、第１の数のＡＣＫに従って複数のコンポーネントキャリアの第１のサブセット上のダウンリンクデータについてのユーザ機器再送信要求を決定し、１つまたは複数のＳＲリソースに関連する第２のビット値を、複数のコンポーネントキャリアの第２のサブセット上の第２の数のＡＣＫにマッピングし、第２の数のＡＣＫに従って複数のコンポーネントキャリアの第２のサブセット上のダウンリンクデータについてのユーザ機器再送信要求を決定するように構成され得る。第１の数のＡＣＫは、第１のコンポーネントキャリア上のＡＣＫに対応し得るものであり、第２の数のＡＣＫは、第２のコンポーネントキャリア上のＡＣＫに対応し得るものである。
【００２１】
様々な実施形態のこれらおよび他の特徴は、その動作の編成および方式とともに、添付の図面と併せて以下の詳細な説明を読めば明らかになろう。図面全体にわたって、類似の部分を指すのに類似の参照符号が使用される。
【００２２】
以下の図面を参照すれば、本発明の性質および利点のさらなる理解が得られる。添付の図において、同様のコンポーネントまたは特徴は同じ参照ラベルを有し得る。さらに、同じタイプの様々なコンポーネントは、参照ラベルの後に、ダッシュ記号、および類似のコンポーネント間を区別する第２のラベルを続けることによって区別され得る。第１の参照ラベルのみが明細書において使用される場合、その説明は、第２の参照ラベルにかかわらず、同じ第１の参照ラベルを有する同様のコンポーネントのいずれにも適用可能である。
【００２３】
添付の図面を参照することによって、開示される様々な実施形態について、限定ではなく例として説明する。
【図面の簡単な説明】
【００２４】
【図１】マルチキャリアワイヤレス通信システムを示す図である。
【図２】図１のマルチキャリアワイヤレス通信システム中の送信機および受信機のブロック図である。
【図３】マルチキャリアワイヤレス通信システムの追加の態様を示す図である。
【図４】複数のＣＣについてのスケジューリング要求（ＳＲ）およびＡＣＫ／ＮＡＣＫフィードバックがアップリンクサブフレーム中で送信される、ワイヤレス通信システムを示す図である。
【図５】マルチキャリアユーザ機器からのスケジューリング要求およびＡＣＫ／ＮＡＣＫフィードバックを処理する基地局のブロック図である。
【図６】アップリンクサブフレーム中で複数のＣＣについてのＳＲおよびＡＣＫ／ＮＡＣＫフィードバックを送信するように構成されたモバイルデバイスのブロック図である。
【図７】マルチキャリアユーザ機器によってアップリンク制御情報を生成する方法のフローチャートである。
【図８】マルチキャリアユーザ機器によってアップリンク制御情報を生成するための別の方法のフローチャートである。
【図９】マルチキャリアワイヤレスデバイスからの制御チャネル送信を処理するための方法のフローチャートである。
【図１０】マルチキャリアワイヤレスデバイスからの制御チャネル送信を処理するための別の方法のフローチャートである。
【詳細な説明】
【００２５】
複数コンポーネントキャリアワイヤレス通信システムにおけるスケジューリング要求情報とハイブリッド自動再送要求（ＨＡＲＱ）フィードバックとを含む制御情報の送信を容易にする、システム、方法、デバイスおよびコンピュータプログラム製品について説明する。いくつかの例では、ユーザ機器（ＵＥ）が、コンポーネントキャリアのセットについてのダウンリンクデータに関連する肯定応答／否定応答（ＡＣＫ／ＮＡＣＫ）フィードバックを決定する。肯定のスケジューリング要求（ＳＲ）が存在すると決定すると、ＵＥは、１つまたは複数の利用可能なＳＲリソースを選択し、利用可能なＳＲリソースのうちの１つまたは複数を使用してコンポーネントキャリアのセットについてのＡＣＫ／ＮＡＣＫフィードバックを送信する。
【００２６】
ＡＣＫ／ＮＡＣＫフィードバックは、１つまたは複数のバンドリングスキームに従ってバンドルされることができる。ＡＣＫ／ＮＡＣＫバンドリングスキームは、２つ以上のダウンリンクＣＣにわたってＡＣＫ／ＮＡＣＫをバンドルすること、単一のダウンリンクＣＣ内の複数のコードワードからのＡＣＫ／ＮＡＣＫをバンドルすること、および／または時分割複信（ＴＤＤ）ＣＣにおける２つ以上のサブフレームについてのＡＣＫ／ＮＡＣＫを単一のＡＣＫ／ＮＡＣＫへとバンドルすることを含み得る。バンドルされたＡＣＫ／ＮＡＣＫフィードバックは、１つまたは複数のＳＲリソースに関連する第１のビット値にマッピングされた第１の数のＡＣＫと、１つまたは複数のＳＲリソースに関連する第２のビット値にマッピングされた第２の数のＡＣＫとを含み得る。第１の数のＡＣＫは、１つまたは複数のダウンリンクコンポーネントキャリアに関連付けられることができ、第２の数のＡＣＫは、１つまたは複数の異なるダウンリンクコンポーネントキャリアに関連付けられることができる。
【００２７】
以下の説明は、例を与えるものであり、特許請求の範囲において記載される範囲、利用可能性、または構成を限定するものではない。本開示の趣旨および範囲から逸脱することなく、説明する要素の機能および構成において変更が行われ得る。様々な実施形態は、適宜に、様々なプロシージャまたはコンポーネントを省略、置換、または追加することができる。たとえば、説明する方法は、説明する順序とは異なる順序で実行されることができ、様々なステップが追加され、省略され、または組み合わされることができる。また、いくつかの実施形態に関して説明する特徴は、他の実施形態において組み合わされることができる。
【００２８】
最初に図１を参照すると、ブロック図に、様々な開示する例がその内部に実装され得るワイヤレス通信システム１００の一例が示されている。システム１００は、基地局１０５とユーザ機器１１０とを含む。もちろん、そのようなシステムは、通常、いくつかの基地局１０５とユーザ機器１１０とを含むが、図１には、システムの説明を簡略化するために単一の基地局１０５とユーザ機器１１０とが示されている。基地局１０５は、たとえば、マクロセル、フェムトセル、ピコセル、および／または同様の基地局、モバイル基地局、あるいはリレーノードであり得る。システム１００は、異なる周波数の波形信号を各々が含む複数のコンポーネントキャリア（ＣＣ：component carrier）上での動作をサポートする。図１では、複数のダウンリンクＣＣ１２０が基地局１０５からユーザ機器１１０にダウンリンク送信を搬送する。ユーザ機器１１０は、ダウンリンクＣＣ１２０上でのダウンリンク送信の受取りのフィードバック（たとえば、肯定応答または否定応答）を生成する。ユーザ機器１１０は、フィードバックをバンドルし、それをアップリンクＣＣ（または複数のアップリンクＣＣ）１１５上で基地局１０５に送信する。システム１００は、ネットワークリソースを効率的に割り振ることが可能なマルチキャリアＬＴＥネットワークであり得る。
【００２９】
基地局１０５は、１つまたは複数の基地局アンテナを介してユーザ機器１１０とワイヤレス通信することができる。基地局１０５は、複数のダウンリンクおよび／またはアップリンクＣＣを介して基地局コントローラの制御下でユーザ機器１１０と通信するように構成される。基地局１０５は、ノードＢ、または発展型ノードＢ（ｅノードＢ）であり得る。基地局１０５は、特定の地理的エリアに通信カバレージを提供することができ、他の基地局１０５は異なる地理的エリアにカバレージを提供することができる。複数のユーザ機器１１０がカバレージエリア全体にわたって分散されうる。ユーザ機器１１０は、たとえば、移動局、モバイルデバイス、アクセス端末（ＡＴ）、または加入者ユニットであり得る。そのようなユーザ機器１１０は、セルラーフォンおよびワイヤレス通信デバイスを含み得るが、また、携帯情報端末（ＰＤＡ）、スマートフォン、他のハンドヘルドデバイス、ネットブック、ノートブックコンピュータ、タブレットコンピュータなどでもあり得る。
【００３０】
ＬＴＥシステムでは、データおよびシグナリング情報がダウンリンクＣＣ１２０を通じてユーザ機器１１０に送信され、ユーザ機器１１０は、データが正しく受信されたことを示す肯定応答（ＡＣＫ）、またはデータが正しく受信されなかったことを示す否定応答（ＮＡＣＫ）をアップリンクＣＣ（または複数のアップリンクＣＣ）１１５上で基地局１０５に送信することができる。ユーザ機器１１０は、物理アップリンク制御チャネル（ＰＵＣＣＨ）上で、または物理アップリンク共有チャネル（ＰＵＳＣＨ）上でアップリンクデータ送信と多重化された状態で、ＡＣＫ／ＮＡＣＫフィードバックを基地局１０５に送信することができる。ＰＵＣＣＨは、また、いくつかのシステムでは、アップリンク送信のためのリソースを要求するために基地局１０５に対してユーザ機器１１０によって送信されるスケジューリング要求（ＳＲ）を搬送するために使用される。ＳＲ送信は、任意の好適な送信スキームを使用して実施されることができ、その送信スキームに基づいて、肯定ＳＲの場合は、変調されたデータシンボルがＰＵＣＣＨ上で送信され、否定ＳＲの場合は（すなわち、スケジューリングについての要求が必要とされないときには）、何も送信されない。ＳＲとＡＣＫ／ＮＡＣＫとが同じアップリンクサブフレーム中で送信されるべきである場合、周波数分割複信（ＦＤＤ）を使用して動作するように構成されたシステムでは、肯定ＳＲの場合は、ＡＣＫ／ＮＡＣＫフィードバックは、割り当てられたＰＵＣＣＨ  ＳＲリソースを使用して送信されることができ、否定ＳＲの場合は、ＡＣＫ／ＮＡＣＫは、割り当てられたＰＵＣＣＨ  ＡＣＫ／ＮＡＣＫリソース上で送信される。複数のＣＣを使用するシステムでは、ＣＣの数および特定の動作モード（たとえば、ＦＤＤ対時分割複信（ＴＤＤ））に応じて、多数のＡＣＫ／ＮＡＣＫが生成される可能性があり得る。
【００３１】
いくつかの例では、基地局１０５は、アップリンクサブフレームにおいて制御情報をシグナリングするために異なる技法を使用するようにマルチキャリアユーザ機器１１０を設定する。これらの技法は、肯定のスケジューリング要求を示すための、および複数のダウンリンクＣＣ１２０についてのＡＣＫ／ＮＡＣＫフィードバックを与えるための、リソースを識別することを含むことができ、以下でより詳細に説明するように、ダウンリンクＣＣ１２０の数、ユーザ機器１１０に割り当てられたＳＲリソースの数、ユーザ機器１１０がＦＤＤのために構成されたのかＴＤＤのために構成されたのか、またはそれらの組合せに基づき得る。アップリンクＣＣ１１５上で使用されるべきスキームは、肯定のスケジューリング要求を示すための技法と、複数のダウンリンクＣＣ１２０についてのＡＣＫ／ＮＡＣＫフィードバックを提供するための技法との組合せ、およびこれらの技法が適用される順序を含み得る。たとえば、バンドリング技法は、空間バンドリングと組み合わせたＣＣバンドリング、および／または、特定のＣＣについてのＡＣＫ／ＮＡＣＫフィードバックの、ＳＲリソースを使用して送信される１つまたは複数のビットへのマッピングを含み得る。
【００３２】
様々な例によれば、基地局と通信するためのユーザ機器構成に従ってＳＲとＡＣＫ／ＮＡＣＫの両方を含むアップリンクサブフレームが生成され得る。たとえば、ユーザ機器１１０は、１つのＳＲリソースで構成されることができ、肯定ＳＲが存在するときには、それは、ＳＲリソースを使用して同じサブフレーム中で複数のキャリアについてのＳＲとＡＣＫ／ＮＡＣＫフィードバックの両方を送信することができ、その場合、ＡＣＫ／ＮＡＣＫフィードバックが提供される方式は、ユーザ機器１１０がＦＤＤを使用して動作しているのかＴＤＤを使用して動作しているのかによって決まる。他の場合には、追加のＲＲＣ設定を介してＰＵＣＣＨフォーマット１ｂを用いてＳＲチャネル選択を使用して追加情報が送信され得る。
【００３３】
ユーザ機器１１０は、２つの（またはより多くの）ダウンリンクＣＣ１２０を使用して動作するように基地局１０５によって構成され得る。アップリンクＣＣ１１５の制御チャネル（たとえば、ＰＵＣＣＨ）がＡＣＫ／ＮＡＣＫおよびＳＲ情報を搬送することができ、基地局１０５は、特定のサブフレーム間隔でアップリンクＣＣ１１５上でスケジューリング要求を送るための機会とともにユーザ機器１１０を構成し得る。ユーザ機器１１０は、１つまたは複数のアップリンクＣＣ１１５上でデータが送られるべきであり、そのデータを送信するための現在のアップリンク許可（たとえば、ＰＵＳＣＨ許可）がないという決定をすることができ、したがってユーザ機器１１０は、ＳＲが送信されるべきであると決定する。
【００３４】
ユーザ機器１１０は、アップリンクＣＣ１１５上で利用可能なリソースを識別し、アップリンクＣＣ１１５上の同じサブフレーム中でＡＣＫ／ＮＡＣＫフィードバックとＳＲの両方を送信することができる。いくつかの例では、ユーザ機器１１０がＦＤＤを使用して動作している場合、２つのダウンリンクサブフレームについてのフィードバック情報は、４つのＡＣＫ／ＮＡＣＫビット（すなわち、２つのダウンリンクＣＣ上のサブフレームごとに２つのコードワード）を備え得る。この情報は、たとえば、各ＣＣについてのＡＣＫ／ＮＡＣＫフィードバックの空間バンドリング（ＣＣごとの空間バンドリング）を通じて、割り当てられたＳＲリソースを使用して送信され得る。ユーザ機器１１０がＴＤＤを使用して動作している例では、ＡＣＫ／ＮＡＣＫフィードバック情報は、各ＣＣについてのＡＣＫの累積カウントに従って送信され得る。ユーザ機器１１０がＬＴＥシステムにおいてＰＵＣＣＨフォーマット１ｂに従って構成されるときなど、いくつかの例では、２ビットＳＲリソースの各ビットが、異なるＣＣにまたはＣＣの異なるグループに関係する情報を与えるようにマッピングされ得る。他の例では、ＡＣＫ／ＮＡＣＫフィードバック情報は、また、ＳＲチャネル選択を通じて搬送されることができ、その場合、情報を搬送するために特定のＳＲチャネルの選択が使用される。
【００３５】
そのような例に従ってアップリンク制御情報を使用すると、通信の向上とリソースの効率的な使用とをもたらすことができる。一態様では、本開示は、マルチキャリアシステムにおいてアップリンク制御情報を送信するための既存のフォーマットの使用を容易にする。本明細書で説明するように、ＬＴＥシステムでは、同じサブフレーム中でスケジューリング要求を行うことに加えて複数のキャリアについてのＡＣＫ／ＮＡＣＫフィードバックを搬送し、それによって、いくつかの状況においてＤＦＴ−Ｓ−ＯＦＤＭなどの緩やかな波形を使用する要件を回避するために、ＰＵＣＣＨフォーマット１ｂが使用され得る。さらに、本明細書で説明するような技法は、マルチキャリア動作のための向上したＡＣＫ／ＮＡＣＫ／ＤＴＸ粒度をもたらし、それにより、システムがＳＲチャネル選択を使用してマルチキャリア動作における追加の状態を区別する（たとえば、ＤＴＸはＮＡＣＫとは異なる）ことができるようにし得る。さらに、システムがＦＤＤシステムであるのかＴＤＤシステムであるのかに応じて、ＡＣＫ／ＮＡＣＫフィードバックのバンドリングは、ＦＤＤシステムにおけるキャリアアグリゲーションとともにセルごとの空間バンドリングを使用し、ＴＤＤシステムにおけるキャリアアグリゲーションのためのマッピングとともにＣＣバンドリングを使用することなどによって、２つのダウンリンクコンポーネントキャリアについて最適化され得る。
【００３６】
図２は、基地局１０５−ａとユーザ機器１１０−ａとを含むシステム２００のブロック図である。このシステム２００は、図１のシステム１００であり得る。基地局１０５−ａはアンテナ２３４−ａ〜２３４−ｘを備えることができ、ユーザ機器１１０−ａはアンテナ２５２−ａ〜２５２−ｎを備えることができる。基地局１０５−ａにおいて、送信プロセッサ２２０が、データソースからデータを受信し、プロセッサ２４０、スケジューラ２４２、メモリ２４４、および／またはアップリンク制御シグナリングモジュール２４６からフィードバック情報を受信し得る。アップリンク制御シグナリングモジュール２４６は、１つまたは複数のＣＣについてのＡＣＫ／ＮＡＣＫフィードバック、スケジューリング要求（ＳＲ）、チャネル状態情報（ＣＳＩ）などのチャネル品質情報（ＣＱＩ）、プリコーディング行列インジケータ（ＰＭＩ）、ランクインジケータ（ＲＩ）などについての要求を処理することができ、それらの要求は、ダウンリンク制御チャネル上でユーザ機器１１０−ａに搬送されることができ、それらに対する応答は、アップリンク制御チャネル上でユーザ機器１１０−ａから受信されることができる。
【００３７】
一態様では、基地局１０５−ａは、ユーザ機器１１０−ａがアップリンク共有チャネルへのアクセスを要求するために使用し得る制御チャネルリソースに関して、ユーザ機器１１０−ａを設定する。たとえば、基地局１０５−ａは、所定のＳＲ機会にスケジューリング要求を送るように、ＲＲＣシグナリングを介してユーザ機器１１０−ａを設定し得る。ユーザ機器１１０−ａは、それが他の形で基地局１０５−ａによってアップリンクリソースを割り当てられなかったときには、アップリンク共有チャネルにアクセスするためにスケジューリング要求を送ることができる。本明細書で説明するように、マルチキャリアユーザ機器１１０−ａが肯定または否定のスケジューリング要求を報告する特定のリソースおよび方式は、ＣＣがＦＤＤキャリアであるのかＴＤＤキャリアであるのか、設定されたＣＣの数、およびユーザ機器１１０−ａに割り当てられたアップリンクリソースに応じて、異なるものであり得る。ユーザ機器１１０−ａは、また、ユーザ機器１１０−ａがそれの下で動作している識別されたフィードバックバンドリングスキームに従って、ＡＣＫ／ＮＡＣＫ情報を送信するために１つまたは複数のスケジューリング要求（ＳＲ）リソースを使用することができる。制御シグナリングモジュール２４６は、いくつかの例では、異なるフィードバックバンドリングスキームを使用するようにユーザ機器１１０−ａを設定する。アップリンク制御シグナリングモジュール２４６は、所与の時点でユーザ機器１１０−ａに関連づけられた、設定され、アクティブにされ、および／またはスケジュールされたＣＣに部分的に基づいて、ユーザ機器１１０−ａについてアップリンクリソースを設定することができる。たとえば、アップリンク制御シグナリングモジュール２４６は、ユーザ機器１１０−ａに１つまたは複数のＳＲリソースを割り当てることができ、肯定ＳＲ決定が行われたときにはＡＣＫ／ＮＡＣＫフィードバックを報告するために複数のＳＲリソースのチャネル選択を使用するようにユーザ機器１１０−ａを設定することができる。このように、ユーザ機器１１０−ａは、複数のＣＣについてのＡＣＫ／ＮＡＣＫフィードバックならびにＳＲ決定の結果を搬送するために、ＰＵＣＣＨフォーマット１ｂなどのＵＣＩフォーマットを利用し得る。
【００３８】
送信プロセッサ２２０は、また、プロセッサ２４０、スケジューラ２４２、メモリ２４４、および／またはフィードバックスキームモジュール２４６から制御情報を受信し得る。スケジューラ２４２は、設定されたキャリアのサブセット上でユーザ機器１１０−ａをスケジュールすることができる。制御情報は、ダウンリンクＣＣモードを識別し、アップリンクキャリア上でのフィードバック送信をスケジュールし、特定のユーザ機器１１０−ａのために使用されるべきバンドリングスキームを識別することができる。送信プロセッサ２２０は、データ、フィードバック情報、および制御情報を処理（たとえば、符号化およびシンボルマッピング）して、それぞれデータシンボルおよび制御シンボルを取得し得る。送信プロセッサ２２０は、また、リファレンスシンボルおよびセル固有リファレンス信号を生成し得る。送信（ＴＸ）多入力多出力（ＭＩＭＯ）プロセッサ２３０は、適用可能な場合、データシンボル、制御シンボル、および／またはリファレンスシンボルに対して空間処理（たとえば、プリコーディング）を実施することができ、出力シンボルストリームを送信変調器２３２−ａ〜２３２−ｘに与えることができる。各変調器２３２は、（たとえば、ＯＦＤＭなどのために）それぞれの出力シンボルストリームを処理して出力サンプルストリームを取得することができる。各変調器２３２はさらに、出力サンプルストリームを処理（たとえば、アナログへの変換、増幅、フィルタ処理、およびアップコンバート）して、ダウンリンク信号を取得することができる。変調器２３２−ａ〜２３２−ｘからのダウンリンク信号は、それぞれ、アンテナ２３４−ａ〜２３４−ｘを介して送信され得る。
【００３９】
ユーザ機器１１０−ａにおいて、アンテナ２５２−ａ〜２５２−ｎは、基地局１０５−ａからダウンリンク信号を受信し、受信した信号をそれぞれ復調器２５４−ａ〜２５４−ｎに与えることができる。複数のコンポーネントキャリアを使用するシステムでは、ダウンリンク信号は、それぞれがシグナリングおよび通信データを含み得る複数のコンポーネントキャリアを含み得る。各復調器２５４は、それぞれの受信信号を調整（たとえば、フィルタ処理、増幅、ダウンコンバート、およびデジタル化）して、入力サンプルを取得し得る。各復調器２５４は、さらに、（たとえば、ＯＦＤＭなどに関して）入力サンプルを処理して、受信された各コンポーネントキャリアについて受信シンボルを取得し得る。ＭＩＭＯ検出器２５６は、すべての復調器２５４−ａ〜２５４−ｎから受信シンボルを取得し、適用可能な場合は受信シンボルに対してＭＩＭＯ検出を実行し、検出されたシンボルを提供することができる。受信プロセッサ２５８が、検出されたシンボルを処理（たとえば、復調、デインターリーブ、および復号）して、ユーザ機器１１０−ａについての復号されたデータをデータ出力に与え、復号された制御情報をプロセッサ２８０、メモリ２８２、またはＡＣＫ／ＮＡＣＫフィードバックモジュール２８４に提供することができる。受信プロセッサ２５８は、また、復号されたデータ中に存在し得るビット誤りを訂正するために、復号されたデータに対して前方誤り訂正（ＦＥＣ）を実行し得る。ＦＥＣが、特定のサブフレームに関連した（たとえば、パリティビット、チェックサム、ＣＲＣなどによって示される）データ中の誤りを訂正することが可能でない場合、ＡＣＫ／ＮＡＣＫフィードバックモジュール２８４に指示が与えられることができる。
【００４０】
ＡＣＫ／ＮＡＣＫフィードバックモジュール２８４は、受信されたデータおよび正しく受信されなかったデータに関する情報を受信する。ＡＣＫ／ＮＡＣＫフィードバックモジュール２８４は、ダウンリンクキャリア、ダウンリンク送信モード、およびフィードバックバンドリングスキームを識別するための処理を実行し得る。受信された各コンポーネントキャリアの受信された各サブフレームについて、ＡＣＫ／ＮＡＣＫフィードバックモジュール２８４は、サブフレーム中のデータの適切な受信を示すためのＡＣＫと、サブフレーム中のデータの不適切な受信を示すためのＮＡＣＫとを生成する。制御シグナリングモジュール２８５は、（１つまたは複数の）アップリンクＣＣ上でのＡＣＫ／ＮＡＣＫフィードバック送信に従ってユーザ機器１０５−ａによるダウンリンク送信の受信を確認するために使用されるべき操作を実行し得る。一態様では、制御シグナリングモジュール２８５は、ユーザ機器１１０−ａがアップリンク許可を受信したかどうかに関する判定を行う。ユーザ機器１１０−ａがアップリンク許可を受信していない場合、制御シグナリングモジュール２８５は、ＲＲＣ設定に基づいて１つまたは複数の割り当てられたＳＲリソースを決定し、決定されたＳＲリソースを使用して同じサブフレーム中でＳＲおよびＡＣＫ／ＮＡＣＫフィードバックを送信し得る。ＡＣＫ／ＮＡＣＫフィードバックモジュール２８４は、いくつかの例では、制御シグナリングモジュール２４６によって識別されるバンドリングスキームに従ってＡＣＫ／ＮＡＣＫフィードバックをバンドルする。
【００４１】
アップリンク上では、ユーザ機器１１０−ａにおいて、送信プロセッサ２６４が、データソースからのデータ（たとえば、ＨＡＲＱフィードバックにおいて使用するためのコードワード）、ならびに、プロセッサ２８０および制御シグナリングモジュール２８５からの制御情報（たとえば、フィードバックバンドリングスキーム）を受信し、処理し得る。送信プロセッサ２６４は、また、リファレンス信号のためのリファレンスシンボルを生成し得る。送信プロセッサ２６４からのシンボルは、適用可能な場合はＴＸ  ＭＩＭＯプロセッサ２６６によってプリコードされ、さらに、（たとえばＳＣ−ＦＤＭＡなどのために）復調器２５４−ａ〜２５４−ｎによって処理され、基地局１０５−ａに送信され得る。基地局１０５−ａにおいて、ユーザ機器１１０−ａからのアップリンク信号は、アンテナ２３４によって受信され、復調器２３２によって処理され、適用可能な場合はＭＩＭＯ検出器２３６によって検出され、さらに、受信プロセッサ２３８によって処理されて、モバイルデバイス１１０−ａによって送られた復号されたデータおよび制御情報が取得され得る。プロセッサ２３８は、復号されたデータをデータ出力に与え、復号された制御情報をプロセッサ２４０および／または制御シグナリングモジュール２４６に与え得る。
【００４２】
前述のように、１つまたは複数のダウンリンクＣＣ上でデータを受信したことに応答して、およびハイブリッド自動再送要求（ＨＡＲＱ）プロセスの一部として、ユーザ機器は、受信された各サブフレームについて肯定応答（ＡＣＫ）または否定応答（ＮＡＣＫ）を送信し得る。さらに、ユーザ機器は、将来のアップリンク送信のための無線リソースを要求するために基地局にスケジューリング要求（ＳＲ）を送信し得る。ＡＣＫ／ＮＡＣＫとＳＲの両方がＰＵＣＣＨ上で送信されるべきであるシナリオでは（たとえば、ユーザ機器がＵＬ−ＳＣＨ送信のためのアップリンクリソースを割り当てられていないときには）、ＡＣＫ／ＮＡＣＫおよび／またはＳＲ送信のために使用される特定のリソースは、肯定ＳＲまたは否定ＳＲの存在によって決まる。特に、周波数分割複信（ＦＤＤ）を利用するシステムでは、ＡＣＫ／ＮＡＣＫとＳＲの両方が同じサブフレーム中で送信されるとき、ユーザ機器は、否定ＳＲ送信については、その割り当てられたＡＣＫ／ＮＡＣＫ  ＰＵＣＣＨリソース上でＡＣＫ／ＮＡＣＫを送信し、肯定ＳＲ送信については、ユーザ機器の割り当てられたＳＲ  ＰＵＣＣＨリソース上でＡＣＫ／ＮＡＣＫを送信する。「リソース」という用語、特に「ＳＲリソース」という用語は、情報の送信および／または受信のために使用され得る、時間、周波数および／または特定のシーケンスの形態のリソースを指し得ることに留意されたい。
【００４３】
ＴＤＤシステムでは、ＡＣＫ／ＮＡＣＫの生成、およびそれらのアップリンクリソースへのマッピングが、より複雑であり得る。より詳細には、各無線フレーム中のアップリンクリソースおよびダウンリンクリソースの数が特定のＴＤＤ設定モードに基づいて非対称的に割り振られるので、特定のアップリンクサブフレーム上で基地局に送信されるビット数を低減するために、複数のダウンリンクサブフレームについてのＡＣＫ／ＮＡＣＫフィードバックが組み合わせられ得る。したがって、そのようなＴＤＤサブフレームのＡＣＫ／ＮＡＣＫを組み合わせるまたはバンドルすることを指すために、時間領域バンドリングという用語が時々使用される。
【００４４】
ＬＴＥ−Ａシステムなど、複数のコンポーネントキャリアを採用する様々なシステムでは、肯定ＳＲが存在するときには、複数のコンポーネントキャリア（ＣＣ）上でのダウンリンク伝送により、アップリンク通信におけるＡＣＫ／ＮＡＣＫの数が顕著になり得る。そのようなシステムにおける複数のコンポーネントキャリアのアグリゲーションは、全体的なシステム帯域幅を増加させ得る。たとえば、２つの１０ＭＨｚのコンポーネントキャリアと４つの２０ＭＨｚのコンポーネントキャリアとがアグリゲートされて、ＬＴＥシステムの帯域幅を１００ＭＨｚに拡大させ得る。そのようなコンポーネントキャリアは、スペクトルの連続部分にわたるか、またはスペクトルの不連続部分上に存在し得る。いくつかの状況では、複数のＣＣ上でのダウンリンクデータ伝送が、比較的多量のＡＣＫ／ＮＡＣＫフィードバックをもたらすことがあり、ユーザ機器１１０−ａが有する、基地局１０５−ａにＡＣＫ／ＮＡＣＫフィードバックを与えるためのアップリンクリソースは、限られていることがあり得る。そのような場合、ビット数を低減するためにＡＣＫ／ＮＡＣＫ情報のバンドリングが実行されることができ、および／または、追加のＳＲリソースを使用することによって有効ビット数が増加されることができる。たとえば、有効ビット数を増加させるためにＳＲチャネル選択が使用されることができ、これは、追加のキャリアについてのフィードバックに適応することができ、および／または与えられるフィードバックの粒度を増加させることができる。
【００４５】
図３に、複数のコンポーネントキャリアを使用して動作するように構成されたシステム３００を示す。システム３００は、発展型ノードＢ（ｅＮＢ）１０５−ｂ（たとえば、基地局、アクセスポイントなど）と通信し得るユーザ機器１１０−ｂを含み得る。図３には、１つのユーザ機器１１０−ｂおよび１つのｅＮＢ１０５−ｂのみが示されているが、システム３００は、任意の数のユーザ機器１１０−ｂおよび／またはｅＮＢ１０５−ｂを含むことができることを諒解されたい。ユーザ機器１１０−ｂは、より広い全送信帯域幅を可能にするためにｅノードＢ１０５−ｂによって利用される複数のコンポーネントキャリアで構成され得る。図３に示すように、ユーザ機器１１０−ｂは、「コンポーネントキャリア１」３０５〜「コンポーネントキャリアＮ」３１０で構成されることができ、ここで、Ｎは１以上の整数である。図３は２つ以上のコンポーネントキャリアを示しているが、ユーザ機器１１０−ｂは、任意の好適な数のコンポーネントキャリアで構成され得るものであり、したがって、本明細書で開示および請求する主題は２つのコンポーネントキャリアだけに限定されないことを諒解されたい。一実施例では、複数のコンポーネントキャリア３０５〜３１０のうちのいくつかは、ＬＴＥ  Ｒｅｌ−８キャリアであり得る。したがって、コンポーネントキャリア３０５〜３１０のうちのいくつかは、レガシー（たとえば、ＬＴＥ  Ｒｅｌ−８ベースの）ユーザ機器にはＬＴＥキャリアとして見え得る。各コンポーネントキャリア３０５〜３１０は、それぞれのダウンリンク３１５および３２０ならびにそれぞれのアップリンク３２５および３３０を含み得る。
【００４６】
いくつかのマルチコンポーネントキャリアシステムでは、ユーザ機器は、ただ１つのプライマリコンポーネントキャリア（ＰＣＣ：primary component carrier）と１つまたは複数のセカンダリコンポーネントキャリア（ＳＣＣ：secondary component carrier）とで構成され得る。そのようなシステムでは、多数のコンポーネントキャリアについてのＡＣＫ／ＮＡＣＫの送信が、１つのアップリンクコンポーネントキャリア、すなわち、ＰＣＣのアップリンク上で行われ得る。その結果、対応するＰＵＣＣＨ上のＡＣＫ／ＮＡＣＫフィードバックオーバーヘッドは、１つのコンポーネントキャリアをもつ従来のシステムのそのようなオーバーヘッドよりも著しく大きくなり得る。本明細書の様々な例では、組み合わされたＳＲとＡＣＫ／ＮＡＣＫとの送信のために限られた数のビット（たとえば、２ビット）が割り振られる、フォーマット１ｂなどのフォーマットを使用して、チャネル選択のために構成されたシステムに関して、組み合わされたＳＲとＡＣＫ／ＮＡＣＫとのアップリンク送信が容易になる。
【００４７】
いくつかの実施形態では、最初にすべての空間チャネルにわたって空間バンドリングを実行することによってＡＣＫ／ＮＡＣＫの数が低減される。たとえば、２つの空間レイヤが存在する場合、空間バンドリングは、両方のレイヤにおける対応するサブフレームがＡＣＫを備える場合にのみ、サブフレームについてＡＣＫを生成する。空間バンドリングが行われたら、累計ＡＣＫカウントを取得するためにすべてのコンポーネントキャリアにわたるＡＣＫが足し合わされることができる。累計カウントは、次いで、肯定ＳＲリソースにおけるＡＣＫ／ＮＡＣＫの送信に適応するために利用可能であるビットにマッピングされ得る。一例では、ＡＣＫの数を搬送するために、肯定ＳＲリソースにおいて利用可能なビットのマッピングが使用され得る。一例では、バンドルされたＡＣＫ／ＮＡＣＫを搬送するために表１のマッピングが使用され得る。たとえば、５の累計ＡＣＫカウントは、ビットシーケンス［（ｂ（０），ｂ（１）］＝（１，０）にマッピングされ、９の累計ＡＣＫカウントは、ビットシーケンス［（ｂ（０），ｂ（１）］＝（１，１）にマッピングされる。  
【表１】
2013541924.tif 000003
【００４８】
簡単のために、表１は最大９つの累計ＡＣＫカウントのマッピングのみを示していることに留意されたい。ただし、同様の方式でより大きなＡＣＫカウントについてのマッピングを提供するために、追加のリスティングが容易に含まれ得ることが理解される。さらに、表１は、シーケンス［（ｂ（０），ｂ（１）］へのＡＣＫカウントのマッピングを特定の順序で示しているが、マッピングは、異なるシーケンシャル順序で容易に実行されることができる。
【００４９】
他の実施形態は、対応するコンポーネントキャリアおよび／またはサブフレームの識別を改善するために、ＡＣＫ／ＮＡＣＫフィードバックを組み合わせるための異なるまたは追加の方法を利用し得る。以下でより詳細に説明するいくつかの例では、様々な組合せ技法が、少数のコンポーネントキャリア（たとえば、２つのコンポーネントキャリア）について、またはより多数のアグリゲートされたコンポーネントキャリアについて、ＡＣＫ／ＮＡＣＫの拡張識別／マッピングを与える。以下の様々な例では、肯定ＳＲについてのＡＣＫ／ＮＡＣＫの送信に適応するために２ビットを使用するＰＵＣＣＨフォーマット１ｂを参照して、特定の処理演算について説明する。ただし、開示する実施形態は、多数のＡＣＫ／ＮＡＣＫフィードバックが、少数の割り振られたリソースにマッピングされ、それらのリソースを使用して送信されなければならない、他のシナリオにまで容易に拡張され得ることが理解される。
【００５０】
基礎をなす概念の理解を容易にするために、図４に、２つのコンポーネントキャリアＣＣ１  ４０５およびＣＣ２  ４１０を備えた、例示的なシステム４００を示す。各ＣＣ４０５、４１０は、各ＣＣ４０５、４１０について示されているサブフレームｉを含むいくつかのサブフレームを含む。ダウンリンクの各ＣＣ４０５、４１０がユーザ機器において受信されるときには、ユーザ機器は、サブフレーム中の情報が適正に復号され得るかどうかを判定する。適切に復号され得る場合、ＡＣＫフィードバックが生成される。前方誤り訂正（ＦＥＣ）を使用した後にサブフレームからのデータが復号されることができない場合、ＮＡＣＫフィードバックが生成される。各ＣＣ４０５、４１０上のサブフレームｉについてのＡＣＫ／ＮＡＣＫは、図４ではＡＣＫ／ＮＡＣＫ（１，ｉ）４１５およびＡＣＫ／ＮＡＣＫ（２，ｉ）４２０として示されている。ＡＣＫ／ＮＡＣＫ４１５、４２０は、バンドルされて、バンドルされたＡＣＫ／ＮＡＣＫ４２５を形成し、アップリンクキャリア上での送信のためにＳＲリソース４３０中に含められる。
【００５１】
ＡＣＫ／ＮＡＣＫ４１５、４２０は、１つまたは複数のプロセスに従ってバンドルされ得る。一例では、ＡＣＫ／ＮＡＣＫ４１５、４２０は、論理ＡＮＤ演算に従ってバンドルされる。他の例では、バンドルされたＡＣＫ／ＮＡＣＫ４２５は、ＣＣのすべてにわたって存在するＡＣＫの数の累積カウントを含む。他の例では、バンドルされたＡＣＫ／ＮＡＣＫ情報を搬送するために、１つまたは複数の選択されたＳＲリソース４３０において利用可能な複数のビットが使用され得る。１つのシステムでは、組み合わされたＳＲとバンドルされたＡＣＫ／ＮＡＣＫ４２５とを搬送するためにＰＵＣＣＨフォーマット１ｂ（すなわち、２ビット）が使用される。一実施形態によれば、ＦＤＤ動作モードでは、各コンポーネントキャリア４０５、４１０にわたって空間バンドリングが行われる。そのような場合、所与のコンポーネントキャリアについて、すべての空間レイヤにわたるＡＣＫ／ＮＡＣＫがバンドルされて、各コンポーネントキャリアについての単一のＡＣＫ／ＮＡＣＫ値が生成される。次いで、その結果は、フォーマット１ｂで利用可能である２ビットを使用して搬送され得る。表２に、ＳＲリソースビットｂ（０）およびｂ（１）へのＡＣＫ／ＮＡＣＫの例示的なマッピングを示す。  
【表２】
2013541924.tif 000004
【００５２】
表２のマッピングは、各コンポーネントキャリア４０５、４１０がすべてのＡＣＫ／ＮＡＣＫ組合せについて容易に識別され得ることを示している。したがって、上述の技法は、ＡＣＫシナリオ、ＮＡＣＫシナリオおよびＮＡＣＫ／ＡＣＫシナリオについて同じカウント「１」（したがって同じビットパターン）を生成していたであろう、すべてのコンポーネントキャリアにわたってＡＣＫの単純なカウントを行うことに勝る、追加情報を与える。表２では、各ＮＡＣＫエントリは、また、ＡＣＫ／ＮＡＣＫが、たとえば、ユーザ機器に送信されたダウンリンクリソース割振り許可の失敗により、完全に消失している、不連続送信（ＤＴＸ）シナリオに対応し得ることに留意されたい。
【００５３】
ＦＤＤモードで動作するシステムにおいて２つよりも多くのコンポーネントキャリアが使用されるときには、ＡＣＫ／ＮＡＣＫは、各コンポーネントキャリアにわたって同様にバンドルされることができる。たとえば、各コードワードについてＡＣＫ／ＮＡＣＫが生成されることができ、各ＦＤＤキャリアについてＡＣＫ／ＮＡＣＫに対して空間バンドリングが実行されることができる。ＡＣＫ／ＮＡＣＫフィードバックの送信のためにＳＲリソースが識別されることができ、ＳＲとＡＣＫ／ＮＡＣＫフィードバックとを含むＰＵＣＣＨフォーマット１ｂメッセージが生成されることができる。いくつかの例では、２つのフォーマット１ｂビットを使用してＡＣＫ／ＮＡＣＫフィードバックの送信を可能にするために、さらなるクロスコンポーネントキャリアバンドリングが提供されることができる。たとえば、４つのコンポーネントキャリアを使用する構成では、各コンポーネントキャリアについての空間バンドリングの後に、コンポーネントキャリアにわたるペアワイズバンドリング（pair-wise bundling）を行って、表２に記載されているのと同じ数のエントリに到達し得る。
【００５４】
ＴＤＤ動作モードでは、異なるコンポーネントキャリアに関連したＡＣＫ／ＮＡＣＫを考慮しなければならないことに加えて、時間領域における（すなわち、異なるサブフレームに関連した）ＡＣＫ／ＮＡＣＫも考慮され得る。一例では、ＴＤＤシステムは、各コンポーネントキャリアにわたって最初に行われる空間バンドリングを用いる。たとえば、２つのコンポーネントキャリアがあるときには、ＦＤＤシナリオと同様に、各コンポーネントキャリアについて、すべての空間レイヤにわたるＡＣＫ／ＮＡＣＫがバンドルされる。空間バンドリングの後、１つの代替形態では、ＡＣＫ／ＮＡＣＫは、コンポーネントキャリアにわたって組み合わされ（たとえば、バンドルされ）、次いで時間領域においてバンドルされる。その結果は、ｂ（０）およびｂ（１）の特定の値にマッピングされる。一例では、２つのコンポーネントキャリアが使用される場合、上述の時間領域バンドリングは、サブフレームの１／２のみにわたって行われる。ＴＤＤモードに関係する別の代替形態では、各コンポーネントキャリアにわたる空間バンドリングの後に、すべてのサブフレームにわたる時間領域バンドリングが行われ、その結果は、ｂ（０）およびｂ（１）の特定の値にマッピングされる。ＴＤＤシステムにおける上述の操作は、２つのコンポーネントキャリアを使用するシステム、ならびに２つよりも多くのコンポーネントキャリアを使用するシステムにおいて利用され得る。後者のシナリオでは、バンドルされたフィードバックは、ＡＣＫ／ＮＡＣＫの、より粗な識別を提供する。
【００５５】
さらに別の例では、コンポーネントキャリアまたは特定のサブフレームの数にかかわらず、第１の数のＡＣＫ／ＮＡＣＫフィードバックは、第１のビットｂ（０）にマッピングされ、残りのＡＣＫ／ＮＡＣＫフィードバックは、第２のビットｂ（１）にマッピングされる。次いで、両方のビットは、ＰＵＣＣＨフォーマット１ｂを用いてＳＲリソース上で送信される。一例では、ＡＣＫ／ＮＡＣＫフィードバックの１番目の半分は、ｂ（０）にマッピングされ、ＡＣＫ／ＮＡＣＫフィードバックの２番目の半分はｂ（１）にマッピングされる。様々な状況において上述のＡＣＫ／ＮＡＣＫバンドリング方法の組合せが実施され得ることに留意されたい。たとえば、ＦＤＤモードの２つのコンポーネントキャリアを備えたシステムでは、表２に関して説明した方法が利用され得る。同様に、ＴＤＤモードで動作する２コンポーネントキャリアシステムでは、各コンポーネントキャリアについての空間バンドリングが実行されることができ、その後にクロスコンポーネントキャリアバンドリングおよび時間領域バンドリング操作の一方または両方が続く。別の例では、ＦＤＤモードまたはＴＤＤモードの２つよりも多くのコンポーネントキャリアを備えたシステムでは、表１に関して説明した方法が用いられることができる。したがって、特定のバンドリング技法は、特定のシステム構成に基づいて適応され、組み合わされることができ、（１つまたは複数の）バンドリング技法は、たとえば、図２のフィードバックスキームモジュール２４６によって決定されることができる。
【００５６】
上述のバンドリング技法では、説明および例示のために、１つのＳＲリソースを使用して動作するように構成されたシステムについて説明した。しかしながら、いくつかの実施形態では、２つ以上のＳＲリソース（またはチャネル）が、肯定ＳＲについてのＡＣＫ／ＮＡＣＫの送信に適応するように構成され、それによって、追加されたＳＲ「チャネル選択」能力により、ＡＣＫ／ＮＡＣＫフィードバックおよび／またはユニークな状態についてのシグナリングキャパシティを増加させ得る。たとえば、２つのＳＲリソースを有することにより、ユーザ機器は、肯定ＳＲについてのＡＣＫ／ＮＡＣＫフィードバックの送信のために第１のリソースまたは第２のリソースの間で選択することが可能になる。そのようなシナリオでは、ＡＣＫ／ＮＡＣＫシグナリングキャパシティは１ビットだけ増加される。２つの可能なＳＲリソースを備えた上記の例では、システムが２つのコンポーネントキャリアを用いてＦＤＤで動作するようにさらに構成された場合、バンドリング操作の必要なしにＡＣＫ／ＮＡＣＫ情報全体がｅノードＢに搬送され得る。より多数のコンポーネントキャリアが存在する他のシナリオでは、完全なＡＣＫ／ＮＡＣＫフィードバックの搬送が可能でないことがある。そのようなシナリオでは、各コンポーネントキャリアについての空間バンドリングが実行され、その後に、前述したＡＣＫ／ＮＡＣＫチャネル選択と同じルールをＳＲチャネル選択に適用することが続くことができる。
【００５７】
別の実施形態によれば、各ユーザ機器は、プライマリＳＲリソース、ならびに１つまたは複数のセカンダリＳＲリソースを使用して動作するように構成される。プライマリＳＲリソースは、各ユーザ機器にユニークであり、したがってそのユーザ機器の排他的使用のために予約される。セカンダリＳＲリソースは、たとえば、ＲＲＣ設定されることができる。例示的な一実施形態では、少なくとも１つのセカンダリＳＲリソースは、また、各ユーザ機器にユニークである。ユーザ機器は、単に、拡張フィールド（すなわち、プライマリＳＲリソースおよび１つまたは複数のセカンダリＳＲリソース）を利用して、肯定ＳＲについてＡＣＫ／ＮＡＣＫフィードバックを送信することができる。
【００５８】
別の実施形態では、セカンダリＳＲリソースは、２つ以上のユーザ機器の間で共有される。この目的で、多数のユーザ機器が、互いに少なくとも部分的にオーバーラップしている１つまたは複数のセカンダリＳＲリソースを備えて構成され得る。異なるユーザ機器の間でのセカンダリＳＲリソースの共有は、アップリンクリソースのより効率的な使用を可能にし、シグナリングオーバーヘッドを低減する。しかしながら、そのような共有割当ては、また、時間的に少なくとも部分的にオーバーラップしている、同じリソース上での異なるユーザ機器によるアップリンク送信をまねき得る。一例によれば、そのようなオーバーラップは、共有ＳＲリソース上でのフィードバック送信にいくつかの制限を課すことによって防ぐことができる。たとえば、各ユーザ機器が、他のユーザ機器の割り当てられた時間期間とオーバーラップしていない割り当てられた時間期間中に共有ＳＲリソースを使用してのみ送信を行うことができることを保証するために、時分割多重方法が使用されることができる。
【００５９】
追加のＳＲリソースでユーザ機器を構成するときには、異なる数の（おそらくは多数の）追加のＳＲリソースを各ユーザ機器に割り当てることが可能である。しかしながら、帯域幅利用と計算複雑性とに関係する実際の考慮事項が、そのような追加の共有リソースの数を制限し得る。例示的な一実施形態では、各ユーザ機器は、２つ以下のＳＲリソースを使用して動作するように構成され、その場合、ただ１つのリソースが他のユーザ機器と共有され得る。
【００６０】
別の実施形態では、基地局（ｅノードＢ）からの追加の制御情報が、２つ以上のユーザ機器による共有ＳＲリソースの選択を容易にする。そのような追加の制御情報は、たとえば、共有リソースのどの特定のサブセットが特定の時間間隔中に特定のユーザ機器によって使用され得るかをシグナリングするために、ＰＤＣＣＨ上でユーザ機器に送信され得る。たとえば、ＳＲリソース選択を容易にするためにＡＣＫ／ＮＡＣＫリソースインジケータ（ＡＲＩ）または時分割多重情報がユーザ機器に提供されることができる。ＡＲＩは、ユーザ機器が共有リソースを使用することを許されているか否か、および／または共有ＳＲリソースのどの特定のサブセットがユーザ機器によって使用され得るか、に関する情報を含むことができる。ＡＲＩは、１つまたは複数のセカンダリコンポーネントキャリアの送信電力制御（ＴＰＣ）フィールドを使用してＰＤＣＣＨ上で送信され得る。したがって、追加の制御情報は、同じＰＵＣＣＨリソース上で同時の異なるユーザ機器によるアップリンクＡＣＫ／ＮＡＣＫフィードバック送信の可能性を低減または排除する。
【００６１】
次に図５を参照すると、複数のコンポーネントキャリアについての制御情報を送信するワイヤレス通信システム５００の一例が示されている。システム５００は、説明したように、基地局１０５−ｃと、ワイヤレスネットワークへのアクセスを受信するために基地局１０５−ｃと通信し得るユーザ機器１１０−ｃとを含む。さらに、ユーザ機器１１０−ｃは、複数のダウンリンクＣＣにわたって通信を受信することができ、それらのダウンリンクＣＣ上の通信に関連するＡＣＫ／ＮＡＣＫフィードバックが、本明細書で説明する様々な技法のうちの１つまたは複数に従って基地局１０５−ｃに送信されることになる。
【００６２】
基地局１０５−ｃは、上記で説明したのと同様に、（１つまたは複数の）トランシーバモジュール５１０に通信可能に結合された、１つまたは複数のアンテナ５０５を含む。ネットワークインターフェース５１５は、ワイヤレス通信システム５００に関連する１つまたは複数のネットワークへのインターフェースを提供し得る。基地局１０５−ｃは、スケジューラ５３０を含む１つまたは複数のプロセッサモジュール５２５と、ソフトウェア５４０を含むメモリ５３５と、フィードバック決定モジュール５４５と、ＳＲ選択モジュール５５０と、フィードバックバンドリングスキームモジュール５５５とを含む制御モジュール５２０を含む。スケジューラ５３０は、１つまたは複数のプロセッサモジュール５２５に含まれることができ、（１つまたは複数の）プロセッサモジュール５２５の影響下で、および／または１つまたは複数のＳＲリソースを介してフィードバックを受信し得るフィードバックスキームモジュール５３０の影響下で、設定されたキャリアのサブセット上でユーザ機器１１０−ｃをスケジュールすることができる。制御モジュール５２０の諸コンポーネントは、個別にまたは集合的に、ハードウェア中の適用可能な機能の一部または全部を実行するように適応された１つまたは複数の特定用途向け集積回路（ＡＳＩＣ）を用いて実装され得る。言及したモジュールの各々は、基地局１０５−ｃの動作に関係する１つまたは複数の機能を実行するための手段であり得る。
【００６３】
フィードバック決定モジュール５４５は、モバイルデバイス１１０−ｃから受信されたＡＣＫ／ＮＡＣＫフィードバックを決定し、受信されたＡＣＫ／ＮＡＣＫ情報の内容に基づいて、再送信が必要であるかどうかを判定することができる。フィードバック決定モジュール５４５はまた、ＳＲリソース上での受信されたビットを、特定のコンポーネントキャリア、フレームまたはサブフレームに関連するＡＣＫ／ＮＡＣＫにマッピングする、ＳＲリソース−ＡＣＫ／ＮＡＣＫマッピングコンポーネントを含み得る。ＳＲ選択モジュール５５０は、ＳＲと含まれたＡＣＫ／ＮＡＣＫフィードバックとを送信するためにユーザ機器１１０−ｃにとって利用可能であるスケジューリング要求リソースを識別するように動作し得る。いくつかの実施形態では、ＳＲ選択モジュール５５０は、ユーザ機器１１０−ｃ、および／または基地局１０５−ｃによってサービスされる他のユーザ機器（図示せず）について、ＰＵＣＣＨ上で１つまたは複数のＳＲリソースを割り振る。ＳＲ選択モジュール５５０はまた、ユーザ機器１１０−ｃによるＳＲリソース選択を容易にするために、ＡＣＫ／ＮＡＣＫリソースインジケータ（ＡＲＩ）または時分割多重情報など、制御情報を生成し得る。ＡＲＩは、ユーザ機器１１０−ｃが共有リソースを使用することを許されているか否か、および／または共有ＳＲリソースのどの特定のサブセットがユーザ機器によって使用され得るか、に関する情報を含むことができる。フィードバックスキームモジュール５５５は、上記で説明したのと同様に、ダウンリンク送信モードと利用可能なＳＲリソースとに基づいてフィードバックバンドリングスキームを識別するように動作し得る。したがって、基地局１０５−ｃは、識別されたダウンリンク送信モードおよびフィードバックスキームに従ってユーザ機器１１０−ｃと通信することが可能である。
【００６４】
さらに、フィードバックスキームモジュール５５５は、また、上記で説明したように、マッピングパラメータなど、ＡＣＫ／ＮＡＣＫフィードバックバンドリングに関する１つまたは複数のパラメータを示し得る。さらに、たとえば、フィードバックバンドリングスキームモジュール５５５は、上記で説明したように、（１つまたは複数の）ＳＲリソース中の特定のビットにマッピングされるべきＣＣのサブセットについてＣＣフィードバックをバンドルすべきかどうかを示し得る。この点について、たとえば、フィードバックスキームモジュール５５５は、１つまたは複数のフィードバックフォーマットパラメータをユーザ機器１１０−ｃに通信することができ、ユーザ機器１１０−ｃは、上記で説明したように、１つまたは複数のパラメータに従ってフィードバックをバンドルすることができ、フィードバックオーバーヘッドを低減する働きをすることができる。（１つまたは複数の）処理モジュール５２５は、説明したように、１つまたは複数のＳＲリソースを介して基地局１０５−ｃに送信されるフィードバックフォーマットにおいてバンドルされた複数のＣＣについてのフィードバックをユーザ機器１１０−ｃから取得し得るものであり、複数のＣＣのうちの１つまたは複数にわたって通信が再送信される必要があるかどうかを判定するために、バンドルされたフィードバックを利用することができる。
【００６５】
（１つまたは複数の）プロセッサモジュール５２５は、たとえば、ＱＵＡＬＣＯＭＭ  Ｉｎｃｏｒｐｏｒａｔｅｄ、Ｉｎｔｅｌ（登録商標）ＣｏｒｐｏｒａｔｉｏｎまたはＡＭＤ（登録商標）製のものなどの中央処理装置（ＣＰＵ）、マイクロコントローラ、特定用途向け集積回路（ＡＳＩＣ）など、インテリジェントハードウェアデバイスを含み得る。メモリ４７５は、ランダムアクセスメモリ（ＲＡＭ）および読取り専用メモリ（ＲＯＭ）を含み得る。メモリ４７５は、実行されたときに（またはコンパイルされて実行されたときに）プロセッサモジュール４７５に本明細書で説明する様々な機能（たとえば、フィードバックバンドリングスキーム識別、ダウンリンク送信モード識別など）を実行させるように構成された命令を含む、コンピュータ読取可能なコンピュータ実行可能ソフトウェアコード４８０を記憶することができる。
【００６６】
次に図６を参照すると、複数のコンポーネントキャリアについてのフィードバックをバンドルする例示的なワイヤレス通信システム６００が示されている。システム６００は、上記で説明したのと同様に、基地局１０５−ｄと、基地局１０５−ｄと通信してワイヤレスネットワークへのアクセスを受信することができるユーザ機器１１０−ｄとを含む。ユーザ機器１１０−ｄは、（１つまたは複数の）受信機モジュール６１０と（１つまたは複数の）送信機モジュール６１５とに通信可能に結合された１つまたは複数のアンテナ６０５を含み、それら（１つまたは複数の）受信機モジュール６１０および（１つまたは複数の）送信機モジュール６１５は、制御モジュール６２０に通信可能に結合される。制御モジュール６２０は、１つまたは複数のプロセッサモジュール６２５と、プロセッサモジュール６２５による実行のためのソフトウェア６３５を含むメモリ６３０と、ＡＣＫ／ＮＡＣＫフィードバックモジュール６４０と、スケジューリング要求モジュール６４５と、バンドリングモジュール６５０とを含む。
【００６７】
プロセッサモジュール６２５は、たとえば、Ｉｎｔｅｌ（登録商標）ＣｏｒｐｏｒａｔｉｏｎまたはＡＭＤ（登録商標）製のものなどの中央処理装置（ＣＰＵ）、マイクロコントローラ、特定用途向け集積回路（ＡＳＩＣ）など、インテリジェントハードウェアデバイスを含み得る。メモリ６３０は、ランダムアクセスメモリ（ＲＡＭ）および読取り専用メモリ（ＲＯＭ）を含み得る。メモリ６３０は、実行されたときに（またはコンパイルされて実行されたときに）プロセッサモジュール６２５に本明細書で説明する様々な機能（たとえば、フィードバックバンドリング、フィードバックマッピング、ＳＲ生成など）を実行させるように構成された命令を含む、コンピュータ読取可能なコンピュータ実行可能ソフトウェアコード６３５を記憶することができる。
【００６８】
（１つまたは複数の）送信機モジュール６１５は、上記で説明したように、１つまたは複数のアップリンクＣＣにわたって基地局１０５−ｄ（および／または他の基地局）に送信することができる。（１つまたは複数の）受信機モジュール６２０は、上記で説明したように、２つ以上のダウンリンクＣＣにわたって基地局１０５−ｄ（および／または他の基地局）からダウンリンク送信を受信することができる。ダウンリンク送信は、ユーザ機器１１０−ｄにおいて受信され、処理される。ＡＣＫ／ＮＡＣＫフィードバックモジュール６４０は、上記で説明したように、ＡＣＫ／ＮＡＣＫフィードバックをフォーマットし送信する際に使用されるべきフィードバックバンドリングスキームを識別することができる。ＡＣＫ／ＮＡＣＫフィードバックモジュール６４０は、複数のダウンリンクＣＣにわたって受信された（または受信されていない）通信についてＡＣＫ／ＮＡＣＫフィードバック値を決定することができる。スケジューリング要求モジュール６４５は、肯定ＳＲが存在するかどうかを判定し、この情報を（１つまたは複数の）プロセッサモジュール６２５に提供することができる。スケジューリング要求モジュール６４５はまた、ユーザ機器１１０−ｄにとって利用可能なＳＲリソースを確認するように構成される。いくつかの例では、ＳＲモジュール６４５は、特定の制御情報フォーマットを使用して基地局１０５−ｄにシグナリングされる有効ビット数を増加させるために、ユーザ機器１１０−ｄによる使用のために構成されたＳＲリソースのセットからＳＲリソースを選択する。たとえば、ＳＲモジュール６４５は、４つの構成されたＳＲリソースからのその選択によって２つの追加のビットを示し得る。したがって、ＰＵＣＣＨフォーマット１ｂでは、追加のＳＲリソースがユーザ機器１１０−ｄのために構成されたときには、４ビットのＡＣＫ／ＮＡＣＫフィードバックが提供されることができる。
【００６９】
同様に、ＳＲモジュール６４５は、第１のコンポーネントキャリアについてのＡＣＫ／ＮＡＣＫフィードバックが第１の基準を満たすときには、２つ以上の利用可能なＳＲリソースから第１のＳＲリソースを選択し、第１のコンポーネントキャリアについてのＡＣＫ／ＮＡＣＫフィードバックが第２の基準を満たすときには、第２のＳＲリソースを選択することができる。そのような方法では、特定のＳＲリソースの選択が、第１のコンポーネントキャリアについてのＡＣＫ／ＮＡＣＫフィードバック情報を搬送する。バンドリングモジュール６５０は、識別されたバンドリングスキームと肯定ＳＲとに基づいてＡＣＫ／ＮＡＣＫフィードバックバンドリングを実行し、ＳＲリソース上での送信のためにバンドルされたＡＣＫ／ＮＡＣＫフィードバックを生成することができる。バンドリングモジュール６５０は、１つまたは複数のコンポーネントキャリア内の空間バンドリング、２つ以上のコンポーネントキャリアにわたるバンドリング、時間領域におけるバンドリングなどのバンドリング操作を行うことができる。いくつかの態様では、コンポーネントキャリアのうちの１つまたは複数についてのＡＣＫ／ＮＡＣＫフィードバックは、上記で説明したのと同様に、識別されたＳＲリソース中の異なるビットにマッピングされ得る。
【００７０】
一例では、ユーザ機器１１０−ｄは、ＬＴＥユーザ機器であり、複数のコンポーネントキャリアは、第１および第２のＦＤＤキャリアを含む。そのような場合、ＡＣＫ／ＮＡＣＫフィードバックモジュール６４０は、第１および第２のＦＤＤコンポーネントキャリアの各々の上で受信された１つまたは複数のコードワードについてのＡＣＫ／ＮＡＣＫフィードバックを決定することができる。バンドリングモジュール６５０は、次いで、第１のＡＣＫ／ＮＡＣＫビットを取得するために第１のＦＤＤコンポーネントキャリアについてＡＣＫ／ＮＡＣＫフィードバックを空間的にバンドルし、第２のＡＣＫ／ＮＡＣＫビットを取得するために第２のＦＤＤコンポーネントキャリアについてＡＣＫ／ＮＡＣＫフィードバックを空間的にバンドルし、バンドルされたＡＣＫ／ＮＡＣＫフィードバックを含む第１および第２のＡＣＫ／ＮＡＣＫビットを用いてＰＵＣＣＨフォーマット１ｂメッセージを生成することができる。次いで、ＰＵＣＣＨフォーマット１ｂメッセージは、識別されたＳＲリソース上で送信され得る。いくつかの例では、バンドリングモジュール６５０は、また、コンポーネントキャリアのうちの１つまたは複数について、（ＡＣＫ、ＮＡＫ／ＤＴＸ）および（ＮＡＫ／ＤＴＸ、ＡＣＫ）など、第１および第２のコンポーネントキャリアのうちの１つまたは複数についての１つまたは複数の追加の状態を決定し、１つまたは複数の追加の状態を用いてＰＵＣＣＨフォーマット１ｂメッセージを生成することができる。
【００７１】
別の例では、ユーザ機器１１０−ｄはＬＴＥユーザ機器であり、複数のコンポーネントキャリアはＴＤＤキャリアを含む。そのような例では、ＡＣＫ／ＮＡＣＫフィードバックモジュール６４０は、第１のＴＤＤコンポーネントキャリアおよび第２のＴＤＤコンポーネントキャリア上でのデータ送信についてのＡＣＫ／ＮＡＣＫフィードバックを決定することができる。そのような場合におけるバンドリングモジュール６５０は、ＡＣＫ／ＮＡＣＫ情報に基づいて第１および第２のコンポーネントキャリア上でのデータ送信についてのＡＣＫインスタンスの数を決定し、ＡＣＫインスタンスの数のマッピングに基づいてＡＣＫ／ＮＡＣＫフィードバックについての第１および第２のビット値を決定し、バンドルされたＡＣＫ／ＮＡＣＫフィードバックを備える第１および第２のビットを用いてＰＵＣＣＨフォーマット１ｂメッセージを生成することができる。第１および第２のコンポーネントキャリア上でのデータ送信についてのＡＣＫインスタンスの数は、ＡＣＫ／ＮＡＣＫ情報の空間バンドリングを含み得る。
【００７２】
図７に、複数のダウンリンクコンポーネントキャリア上で受信された通信についてのＡＣＫ／ＮＡＣＫフィードバックを送信するためにユーザ機器によって行われ得る方法７００を示す。方法７００は、たとえば、図１、図２、図３、図５または図６のユーザ機器によって、またはこれらの図に関して説明したデバイスの任意の組合せを使用して、実施されることができる。初めに、ブロック７０５において、肯定スケジューリング要求が存在すると決定される。上記で説明したように、肯定ＳＲが存在する場合、１つまたは複数のＳＲリソースを使用して、ダウンリンクコンポーネントキャリアに関連するＡＣＫ／ＮＡＣＫフィードバックが送信される。ブロック７１０において、コンポーネントキャリアについてのダウンリンクデータに関連するＡＣＫ／ＮＡＣＫフィードバックが決定される。ＡＣＫ／ＮＡＣＫフィードバックは、知られている技法に基づいて決定され、ＣＣ上のダウンリンク情報が成功裏に受信および復号されたときにはＡＣＫが決定され、ダウンリンク情報が成功裏に受信および復号されなかったときにはＮＡＣＫが決定される。ブロック７１５において、スケジューリング要求（ＳＲ）リソースが識別される。ＳＲリソースは、ＰＵＣＣＨフォーマット１ｂによるＳＲリソースの識別を含む、上記で説明したような方法で識別され得る。いくつかの例では、上記で説明したように、１つまたは複数のセカンダリＳＲリソースが選択され得る。ブロック７２０において、ＡＣＫ／ＮＡＣＫフィードバックがバンドルされる。ＡＣＫ／ＮＡＣＫフィードバックは、ＡＣＫカウントをＰＵＣＣＨフォーマット１ｂにおける２つの利用可能なビットにマッピングするために、たとえば、表１の例示的なマッピングに従ってバンドルされることができる。ＡＣＫ／ＮＡＣＫは、またさらに、または代替的に、各コンポーネントキャリアについて空間的にバンドルされ、２つ以上のコンポーネントキャリアにわたってバンドルされ、１つまたは複数のコンポーネントキャリアについて時間的にバンドルされ、およびそれらの組合せでバンドルされることができる。ブロック７２５において示すように、コンポーネントキャリアについてのバンドルされたＡＣＫ／ＮＡＣＫフィードバックは、選択されたＳＲリソースを使用して送信される。
【００７３】
次に図８を参照して、複数のダウンリンクコンポーネントキャリア上で受信された通信についてのＡＣＫ／ＮＡＣＫフィードバックを送信するためにユーザ機器によって行われ得る別の方法８００について説明する。方法８００は、たとえば、図１、図２、図３、図５または図６のユーザ機器によって、またはこれらの図に関して説明したデバイスの任意の組合せを使用して、実施されることができる。この例示的な方法では、初めに、ブロック８０５において、肯定スケジューリング要求が存在すると決定される。上記で説明したように、肯定ＳＲが存在する場合、１つまたは複数のＳＲリソースを使用して、ダウンリンクコンポーネントキャリアに関連するＡＣＫ／ＮＡＣＫフィードバックが送信される。ブロック８１０において、コンポーネントキャリアについてのダウンリンクデータに関連するＡＣＫ／ＮＡＣＫフィードバックが決定される。ＡＣＫ／ＮＡＣＫフィードバックは、上記で説明したように、知られている技法に基づいて決定される。ブロック８１５において、スケジューリング要求（ＳＲ）リソースが識別される。ＳＲリソースは、ＰＵＣＣＨフォーマット１ｂによるＳＲリソースの識別を含む、上記で説明したような方法で識別されることができる。いくつかの例では、上記で説明したように、１つまたは複数のセカンダリＳＲリソースが選択され得る。ブロック８２０において、コンポーネントキャリアの第１のセット上のＡＣＫが、選択されたＳＲリソースの第１のビット値にマッピングされる。たとえば、コンポーネントキャリアの第１のセットからのＡＣＫが、ＰＵＣＣＨフォーマット１ｂにおける２つの利用可能なビットのうちの第１のビットにマッピングされることができる。ブロック８２５において、コンポーネントキャリアの第２のセット上のＡＣＫが、選択されたＳＲリソースの第２のビット値にマッピングされる。一例では、コンポーネントキャリアの第２のセットからのＡＣＫが、ＰＵＣＣＨフォーマット１ｂでの２つの利用可能なビットのうちの第２のビットにマッピングされることができる。ブロック８３０において示すように、選択されたＳＲリソースのビット値にマッピングされた、コンポーネントキャリアについてのＡＣＫ／ＮＡＣＫフィードバックが、選択されたＳＲリソースを使用して送信される。
【００７４】
次に図９を参照して、ユーザ機器から送信されたＡＣＫ／ＮＡＣＫフィードバックを決定するために基地局によって行われ得る方法９００について説明する。方法９００は、たとえば、図１、図２、図３、図５もしくは図６の基地局によって、またはこれらの図に関して説明したデバイスの任意の組合せを使用して、実施され得る。初めに、ブロック９０５において、１つまたは複数のスケジューリング要求（ＳＲ）リソースがユーザ機器に割り振られる。前述のように、そのようなＳＲリソースは、プライマリＳＲリソースを含み得るものであり、また、１つまたは複数のセカンダリＳＲリソースをも含み得る。さらに、一部の場合には、（１つまたは複数の）セカンダリＳＲリソースの少なくとも一部分は、複数のユーザ機器の間で共有され得る。（１つまたは複数の）ＳＲリソースの割振りは、たとえば、ＡＲＩ、および／または複数のユーザ機器の間でのセカンダリＳＲリソースの時分割多重に関する情報など、制御情報の生成とユーザ機器への制御情報の送信とによって、達成され得る。一例では、ＡＲＩは、１つまたは複数のセカンダリコンポーネントキャリアのＴＰＣフィールドを使用してＰＤＣＣＨ上で送信される。引き続き方法９００を参照すると、ブロック９１０において示すように、割り振られたＳＲリソース上でユーザ機器からフィードバックが受信される。ＳＲリソース上でのＡＣＫ／ＮＡＣＫフィードバックの受信は、肯定ＳＲを示す。ブロック９１５において示されるように、受信されたフィードバックに基づいて２つ以上のコンポーネントキャリアに関連するバンドルされたＡＣＫ／ＮＡＣＫフィードバック値が決定される。バンドルされたＡＣＫ／ＮＡＣＫフィードバック値は、たとえば、複数のコンポーネントキャリアについての累計ＡＣＫカウント、時間領域バンドリング、および／または空間バンドリングなど、ユーザ機器によって使用されるバンドリングスキームに従って決定され得る。ブロック９２０において、バンドルされたＡＣＫ／ＮＡＣＫフィードバック値に基づいて、複数のコンポーネントキャリア上のダウンリンクデータについての再送信要求が決定される。
【００７５】
図１０に、ユーザ機器から送信されたＡＣＫ／ＮＡＣＫフィードバックを決定するために基地局によって行われ得る別の方法１０００を示す。方法１０００は、たとえば、図１、図２、図３、図５または図６の基地局によって、またはこれらの図に関して説明したデバイスの任意の組合せを使用して、実施され得る。初めに、ブロック１００５において、１つまたは複数のスケジューリング要求（ＳＲ）リソースがユーザ機器に割り振られる。前述のように、そのようなＳＲリソースは、プライマリＳＲリソースを含み得るものであり、また、１つまたは複数のセカンダリＳＲリソースをも含み得る。さらに、一部の場合には、（１つまたは複数の）セカンダリＳＲリソースの少なくとも一部分は、複数のユーザ機器の間で共有され得る。ブロック１０１０において示されるように、割り振られたＳＲリソース上でユーザ機器からフィードバックが受信される。ＳＲリソース上でのＡＣＫ／ＮＡＣＫフィードバックの受信は、肯定ＳＲを示す。ブロック１０１５において、ＳＲリソース上で受信されたフィードバックの第１のビット値が、ダウンリンクコンポーネントキャリアの第１のサブセット上の第１の数のＡＣＫにマッピングされる。たとえば、ＰＵＣＣＨフォーマット１ｂにおける２つの利用可能なビットのうちの第１のビットの値が、コンポーネントキャリアの第１のサブセット上に存在する１つまたは複数のＡＣＫにマッピングされ得る。ブロック１０２０において示されるように、第１の数のＡＣＫを使用して、コンポーネントキャリアの第１のサブセット上のダウンリンクデータについてのユーザ機器再送信要求を決定する。ブロック１０２５において、ＳＲリソース上で受信されたフィードバックの第２のビット値が、ダウンリンクコンポーネントキャリアの第２のサブセット上の第２の数のＡＣＫにマッピングされる。ブロック１０２０と同様に、ブロック１０３０において、第２の数のＡＣＫに従って、コンポーネントキャリアの第２のサブセット上のダウンリンクデータについてのユーザ機器再送信要求が決定される。いずれかの再送信が必要とされる場合、基地局は、決定された再送信要求に基づいて再送信を開始し得る。
【００７６】
本明細書で説明される技法は、ＣＤＭＡ、ＴＤＭＡ、ＦＤＭＡ、ＯＦＤＭＡ、ＳＣ−ＦＤＭＡ、および他のシステムなど、様々なワイヤレス通信システムに使用され得る。「システム」および「ネットワーク」という用語は、しばしば互換的に使用される。ＣＤＭＡシステムは、ＣＤＭＡ２０００、Ｕｎｉｖｅｒｓａｌ  Ｔｅｒｒｅｓｔｒｉａｌ  Ｒａｄｉｏ  Ａｃｃｅｓｓ（ＵＴＲＡ）などの無線技術を実装し得る。ＣＤＭＡ２０００は、ＩＳ−２０００、ＩＳ−９５、およびＩＳ−８５６規格をカバーする。ＩＳ−２０００リリース０およびＡは、一般に、ＣＤＭＡ２０００  １Ｘ、１Ｘなどと呼ばれる。ＩＳ−８５６（ＴＩＡ−８５６）は、一般に、ＣＤＭＡ２０００  １ｘＥＶ−ＤＯ、Ｈｉｇｈ  Ｒａｔｅ  Ｐａｃｋｅｔ  Ｄａｔａ（ＨＲＰＤ）などと呼ばれる。ＵＴＲＡは、広帯域ＣＤＭＡ（ＷＣＤＭＡ（登録商標））およびＣＤＭＡの他の変形形態を含む。ＴＤＭＡシステムは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ（登録商標））などの無線技術を実装し得る。ＯＦＤＭＡシステムは、Ｕｌｔｒａ  Ｍｏｂｉｌｅ  Ｂｒｏａｄｂａｎｄ（ＵＭＢ）、Ｅｖｏｌｖｅｄ  ＵＴＲＡ（Ｅ−ＵＴＲＡ）、ＩＥＥＥ８０２．１１（Ｗｉ−Ｆｉ）、ＩＥＥＥ８０２．１６（ＷｉＭＡＸ）、ＩＥＥＥ８０２．２０、Ｆｌａｓｈ−ＯＦＤＭ（登録商標）などの無線技術を実装し得る。ＵＴＲＡおよびＥ−ＵＴＲＡは、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の一部である。３ＧＰＰ  Ｌｏｎｇ  Ｔｅｒｍ  Ｅｖｏｌｕｔｉｏｎ（ＬＴＥ）およびＬＴＥ−Ａｄｖａｎｃｅｄ（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−Ａ、およびＧＳＭは、「３ｒｄ  Ｇｅｎｅｒａｔｉｏｎ  Ｐａｒｔｎｅｒｓｈｉｐ  Ｐｒｏｊｅｃｔ」（３ＧＰＰ）という名称の団体からの文書に記載されている。ＣＤＭＡ２０００およびＵＭＢは、「３ｒｄ  Ｇｅｎｅｒａｔｉｏｎ  Ｐａｒｔｎｅｒｓｈｉｐ  Ｐｒｏｊｅｃｔ  ２」（３ＧＰＰ２）という名称の団体からの文書に記載されている。本明細書で説明する技法は、上記のシステムおよび無線技術、ならびに他のシステムおよび無線技術に使用され得る。ただし、以下の説明では、例としてＬＴＥシステムについて説明し、以下の説明の大部分においてＬＴＥ用語が使用されるが、本技法はＬＴＥ用途以外に適用可能である。
【００７７】
添付の図面に関して上記に記載した詳細な説明は、例示的な実施形態について説明しており、実装され得るまたは特許請求の範囲内に入る実施形態のみを表すものではない。この説明全体にわたって使用される「例示的」という用語は、「例、事例、または例示の働きをすること」を意味しており、「好ましい」または「他の実施形態よりも有利な」を意味するものではない。詳細な説明は、説明する技法の理解を与えるための具体的な詳細を含む。ただし、これらの技法は、これらの具体的な詳細なしに実施され得る。場合によっては、説明する実施形態の概念を不明瞭にしないように、よく知られている構造およびデバイスがブロック図の形式で示される。
【００７８】
情報および信号は、多種多様な技術および技法のいずれかを使用して表され得る。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【００７９】
本明細書の開示に関連して説明される様々な例示的なブロックおよびモジュールは、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、ディスクリートゲートまたはトランジスタロジック、ディスクリートハードウェアコンポーネント、あるいは本明細書で説明した機能を実行するように設計されたそれらの任意の組合せを用いて実装または実行され得る。汎用プロセッサは、マイクロプロセッサであり得るが、代替として、プロセッサは、任意の従来のプロセッサ、コントローラ、マイクロコントローラ、またはステートマシンであり得る。プロセッサは、また、コンピューティングデバイスの組合せ、たとえばＤＳＰとマイクロプロセッサとの組合せ、複数のマイクロプロセッサ、ＤＳＰコアと連携する１つまたは複数のマイクロプロセッサ、あるいは任意の他のそのような構成としても実装され得る。
【００８０】
本明細書で説明する機能は、ハードウェア、プロセッサによって実行されるソフトウェア、ファームウェア、またはそれらの組合せで実装され得る。プロセッサによって実行されるソフトウェアで実装される場合、機能は、１つまたは複数の命令またはコードとしてコンピュータ可読媒体上に記憶されるか、あるいはコンピュータ可読媒体を介して送信され得る。他の例および実装形態は、本開示および添付の特許請求の範囲および趣旨内に入る。たとえば、ソフトウェアの性質により、上記で説明した機能は、プロセッサ、ハードウェア、ファームウェア、ハードワイヤリング、またはこれらのうちのいずれかの組合せによって実行されるソフトウェアを使用して実装され得る。機能を実装する特徴はまた、機能の部分が、異なる物理ロケーションにおいて実装されるように分散されることを含めて、様々な位置に物理的に配置され得る。また、特許請求の範囲を含めて、本明細書で使用される場合、「のうちの少なくとも１つ」で終わる項目の列挙において使用される「または」は、たとえば、「Ａ、Ｂ、またはＣのうちの少なくとも１つ」の列挙が、ＡまたはＢまたはＣ、またはＡＢまたはＡＣまたはＢＣまたはＡＢＣ（すなわち、ＡおよびＢおよびＣ）を意味するような選言的列挙を示す。
【００８１】
コンピュータ可読媒体は、ある場所から別の場所へのコンピュータプログラムの移動を容易にする任意の媒体を含む、コンピュータ記憶媒体および通信媒体の両方を含む。記憶媒体は、汎用または専用コンピュータによってアクセスされ得る任意の利用可能な媒体であり得る。限定ではなく例として、コンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコード手段を搬送または記憶するために使用されることができ、汎用もしくは専用コンピュータまたは汎用もしくは専用プロセッサによってアクセスされることのできる、任意の他の媒体を含み得る。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）を使用して、ウェブサイト、サーバ、または他のリモートソースから送信される場合、同軸ケーブル、光ファイバーケーブル、ツイストペア、またはＤＳＬは、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびブルーレイ（登録商標）ディスク（disc）を含み、ディスク（disk）は、通常、データを磁気的に再生し、ディスク（disc）は、データをレーザーで光学的に再生する。上記の組合せもコンピュータ可読媒体の範囲内に含まれる。
【００８２】
本開示についての以上の説明は、当業者が本開示を製造または使用することができるように与えたものである。本開示への様々な修正は当業者には容易に明らかであり、本明細書で定義した一般原理は、本開示の趣旨または範囲から逸脱することなく他の変形形態に適用され得る。本開示全体にわたって、「例」または「例示的」という用語は、一例または一事例を示すものであり、言及した例についての選好を暗示せず、または必要としない。したがって、本開示は、本明細書で説明する例および設計に限定されるべきでなく、本明細書で開示する原理および新規の特徴に合致する最も広い範囲を与えられるべきである。
【図１】
2013541924.tif 000005
【図２】
2013541924.tif 000006
【図３】
2013541924.tif 000007
【図４】
2013541924.tif 000008
【図５】
2013541924.tif 000009
【図６】
2013541924.tif 000010
【図７】
2013541924.tif 000011
【図８】
2013541924.tif 000012
【図９】
2013541924.tif 000013
【図１０】
2013541924.tif 000014
【国際調査報告】
2013541924.tif 000015
2013541924.tif 000016